(57)【要約】【課題】光センサを内蔵した表示パネルを備えた相手機器との間でデータの送受信を行なうに際して、データの送信に用いる領域とデータの受信に用いる領域との設定を行なう電子機器を提供する。【解決手段】対向状態にある相手機器にデータを送信する場合、当該データを自機器１００の液晶パネル１４０の表示面に画像として表示させる表示制御部１１と、対向状態にある相手機器の表示パネルの表示面に画像として表示されたデータを、自機器１００の光センサを介して受信する受信部１２と、データの送受信の際に相手機器にデータを送信する表示面の送信領域と、データの送受信の際に相手機器からデータを受信する表示面の受信領域とを、同じ領域に設定する第２設定部１４とを備える。【選択図】図１５
2010187325.tif 000002
【特許請求の範囲】
【請求項１】
複数の光センサを表示面に沿って内蔵した表示パネルを備えた電子機器であって、
自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、
前記対向状態にある相手機器にデータを送信する場合、当該データを自機器の表示パネルの表示面に画像として表示させる表示制御手段と、
前記対向状態にある相手機器の表示パネルの表示面に画像として表示されたデータを、自機器の前記光センサを介して受信する受信手段と、
前記データの送受信の際に前記相手機器にデータを送信する前記表示面の送信領域と、前記データの送受信の際に前記相手機器からデータを受信する前記表示面の受信領域とを、同じ領域に設定する設定手段とを備える、電子機器。
【請求項２】
複数の光センサを表示面に沿って内蔵した表示パネルを備えた電子機器であって、
自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、
前記対向状態にある相手機器にデータを送信する場合、当該データを自機器の表示パネルの表示面に画像として表示させる表示制御手段と、
前記対向状態にある相手機器の表示パネルの表示面に画像として表示されたデータを、自機器の前記光センサを介して受信する受信手段と、
前記データの送受信の際に前記相手機器にデータを送信する前記表示面の送信領域と、前記データの送受信の際に前記相手機器からデータを受信する前記表示面の受信領域とを、異なる領域に設定する設定手段とを備える、電子機器。
【請求項３】
前記送信領域と前記受信領域とが近接している、請求項２に記載の電子機器。
【請求項４】
前記データの送受信は、自機器と前記相手機器との初期通信に続いて行なわれる通信であり、
前記受信手段は、前記初期通信において、相手機器の表示面のうち前記データの送受信が可能な通信可能領域を示した情報を、前記相手機器から受信し、
前記設定手段は、前記通信可能領域を示した情報に基づき、前記送信領域および前記受信領域を設定する、請求項１から３のいずれか１項に記載の電子機器。
【請求項５】
前記表示制御手段は、前記初期通信において、相手機器との通信条件を変更するための通信パラメータであって、少なくとも前記通信可能領域を示した情報に基づいて生成された通信パラメータを、前記相手機器に送信する、請求項４に記載の電子機器。
【請求項６】
前記データの送受信は、自機器と前記相手機器との初期通信に続いて行なわれる通信であり、
前記表示制御手段は、前記初期通信において、自機器の表示面のうち前記データの送受信が可能な通信可能領域を示した情報を、自機器の表示面に画像として表示させ、
前記設定手段は、前記通信可能領域を示した情報に基づき前記相手機器にて生成された通信パラメータに応じて、前記送信領域および前記受信領域を設定する、請求項１から３のいずれか１項に記載の電子機器。
【請求項７】
前記設定手段は、
前記データの受信位置を含む領域を前記受信領域として設定し、
前記送信領域と前記受信領域との設定を行った後、前記データの受信位置の変更に伴い
前記受信領域を再設定する場合、前記送信領域についても再設定する、請求項１から６のいずれか１項に記載の電子機器。
【請求項８】
複数の光センサを表示面に沿って内蔵した表示パネルを備えた電子機器における通信領域設定方法であって、
自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、
前記対向状態にある相手機器にデータを送信する場合、当該データを自機器の表示パネルの表示面に画像として表示させる表示制御ステップと、
前記対向状態にある相手機器の表示パネルの表示面に画像として表示されたデータを、自機器の前記光センサを介して受信する受信ステップと、
前記データの送受信の際に前記相手機器にデータを送信する前記表示面の送信領域と、前記データの送受信の際に前記相手機器からデータを受信する表示面の受信領域とを、同じ領域に設定する設定ステップとを含む、通信領域設定方法。
【請求項９】
複数の光センサを表示面に沿って内蔵した表示パネルを備えた電子機器における通信領域設定方法であって、
自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、
前記対向状態にある相手機器にデータを送信する場合、当該データを自機器の表示パネルの表示面に画像として表示させる表示制御ステップと、
前記対向状態にある相手機器の表示パネルの表示面に画像として表示されたデータを、自機器の前記光センサを介して受信する受信ステップと、
前記データの送受信の際に前記相手機器にデータを送信する前記表示面の送信領域と、前記データの送受信の際に前記相手機器からデータを受信する表示面の受信領域とを、異なる領域に設定する設定ステップとを含む、通信領域設定方法。
【請求項１０】
請求項８または９に記載の通信領域設定方法をコンピュータに実行させるためのプログラム。
【発明の詳細な説明】
【技術分野】
【０００１】
本発明は、光センサを表示パネルに内蔵した電子機器、当該電子機器における通信領域設定方法、および当該方法を実行するためのプログラムに関する。
【背景技術】
【０００２】
従来、光センサを内蔵した液晶パネルが知られている。
特許文献１には、データを複数の図形コードに分割して符号化し、それら複数の図形コードを繰り返し表示する構成が開示されている。さらに、同文献には、各図形コードを撮影し、当該撮影された各図形コードを復号化する構成が開示されている。
【０００３】
また、特許文献２にも、特許文献１と同様な内容が開示されている。
特許文献３には、情報送信時には、情報をデータ列に変換し、そのデータ列から動画を作成し、それをディスプレイに表示する構成が開示されている。また、同文献には、情報受信時には、伝送元である相手の携帯電話のディスプレイに表示されている画像をカメラで撮影し、撮影した画像からデータ列を抽出し、さらにそのデータ列から情報を抽出する構成が開示されている。
【０００４】
特許文献４には、撮像されたＱＲ（Quick Response）コードのコード画像の全体がエリアセンサの受光面により規定される撮像画像の範囲内にあるか否かを判断する構成が開示されている。さらに、同文献には、コード画像の全体が撮像画像の範囲内にないと判断された場合、ＱＲコードの全体が撮像画像の範囲内に入るように案内するガイド方向を算出し、このガイド方向による指示内容を液晶表示部に表示する構成が開示されている。
【０００５】
特許文献５には、無線通信媒体としてのＩＣ（Integrated Circuit）カードからその記憶情報をアンテナを介して読み取り、読み取った記憶情報を表す二次元コードを作成してディスプレイに表示する構成が開示されている。
【先行技術文献】
【特許文献】
【０００６】
【特許文献１】特開２００５−２８４８３６号公報
【特許文献２】特開２００５−３０９７５６号公報
【特許文献３】特開２００６−１４８７７６号公報
【特許文献４】特開２００７−２０７０８５号公報
【特許文献５】特開２００７−２０７０９５号公報
【発明の概要】
【発明が解決しようとする課題】
【０００７】
しかしながら、いずれの特許文献にも、光センサを内蔵した表示パネルを備えた電子機器同士でデータの送受信を行なう構成は開示されていない。そのため、いずれの特許文献においても、当該電子機器同士でデータの送受信を行なう場合の、データの送信および受信に用いる領域の設定についての開示はない。
【０００８】
本願発明は、上記問題点に鑑みなされたものであって、その目的は、光センサを内蔵した表示パネルを備えた電子機器との間でデータの送受信を行なうに際して、データの送信に用いる領域とデータの受信に用いる領域との設定を行う電子機器、通信領域設定方法、およびプログラムを提供することにある。
【課題を解決するための手段】
【０００９】
本発明のある局面に従うと、電子機器は、複数の光センサを表示面に沿って内蔵した表示パネルを備えた電子機器であって、自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、対向状態にある相手機器にデータを送信する場合、当該データを自機器の表示パネルの表示面に画像として表示させる表示制御手段と、対向状態にある相手機器の表示パネルの表示面に画像として表示されたデータを、自機器の前記光センサを介して受信する受信手段と、データの送受信の際に相手機器にデータを送信する表示面の送信領域と、データの送受信の際に相手機器からデータを受信する表示面の受信領域とを、同じ領域に設定する設定手段とを備える。
【００１０】
本発明の他の局面に従うと、電子機器は、複数の光センサを表示面に沿って内蔵した表示パネルを備えた電子機器であって、自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、対向状態にある相手機器にデータを送信する場合、当該データを自機器の表示パネルの表示面に画像として表示させる表示制御手段と、対向状態にある相手機器の表示パネルの表示面に画像として表示されたデータを、自機器の前記光センサを介して受信する受信手段と、データの送受信の際に相手機器にデータを送信する表示面の送信領域と、データの送受信の際に相手機器からデータを受信する表示面の受信領域とを、異なる領域に設定する設定手段とを備える。
【００１１】
また、送信領域と受信領域とが隣接していることが好ましい。
また、データの送受信は、自機器と相手機器との初期通信に続いて行なわれる通信であり、受信手段は、初期通信において、相手機器の表示面のうちデータの送受信が可能な通信可能領域を示した情報を、相手機器から受信し、設定手段は、通信可能領域を示した情報に基づき、送信領域および受信領域を設定することが好ましい。
【００１２】
また、表示制御手段は、初期通信において、送信領域のサイズと、受信領域のサイズと、送信エリアと受信エリアとの相対的な位置関係とを示した通信パラメータを、送信領域を用いて相手機器に送信することが好ましい。
【００１３】
また、データの送受信は、自機器と相手機器との初期通信に続いて行なわれる通信であり、表示制御手段は、初期通信において、自機器の表示面のうちデータの送受信が可能な通信可能領域を示した情報を、自機器の表示面に画像として表示させ、設定手段は、通信可能領域を示した情報に基づき相手機器にて生成された通信パラメータに応じて、送信領域および受信領域を設定することが好ましい。
【００１４】
また、設定手段は、データの受信位置を含む領域を受信領域として設定し、送信領域と受信領域との設定を行った後、データの受信位置の変更に伴い受信領域を再設定する場合、送信領域についても再設定することが好ましい。
【００１５】
本発明の他の局面に従うと、通信領域設定方法は、複数の光センサを表示面に沿って内蔵した表示パネルを備えた電子機器における通信領域設定方法であって、自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、対向状態にある相手機器にデータを送信する場合、当該データを自機器の表示パネルの表示面に画像として表示させる表示制御ステップと、対向状態にある相手機器の表示パネルの表示面に画像として表示されたデータを、自機器の光センサを介して受信する受信ステップと、データの送受信の際に相手機器にデータを送信する表示面の送信領域と、データの送受信の際に相手機器からデータを受信する表示面の受信領域とを、同じ領域に設定する設定ステップとを含む。
【００１６】
本発明のさらに他の局面に従うと、通信領域設定方法は、複数の光センサを表示面に沿って内蔵した表示パネルを備えた電子機器における通信領域設定方法であって、自機器との通信相手となる電子機器であって複数の光センサを表示面に沿って内蔵した表示パネルを備えた電子機器を相手機器とし、当該相手機器の表示面と自機器の表示面とが対向した状態を対向状態とすると、対向状態にある相手機器にデータを送信する場合、当該データを自機器の表示パネルの表示面に画像として表示させる表示制御ステップと、対向状態にある相手機器の表示パネルの表示面に画像として表示されたデータを、自機器の光センサを介して受信する受信ステップと、データの送受信の際に相手機器にデータを送信する表示面の送信領域と、データの送受信の際に相手機器からデータを受信する表示面の受信領域とを、異なる領域に設定する設定ステップとを含む。
【００１７】
本発明のさらに他の局面に従うと、プログラムは、上記の通信領域設定方法をコンピュータに実行させるためのプログラムである。
【図面の簡単な説明】
【００１８】
【図１】通信システムの構成を示した図である。
【図２】通信システムに含まれる電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】センシングコマンドの概略構成を示した図である。
【図８】センシングコマンドの各領域におけるデータの値と、当該値が示す意味内容とを示した図である。
【図９】応答データの概略構成を示した図である。
【図１０】指をスキャンすることにより得られた画像を示した図である。
【図１１】他の光センサ内蔵液晶パネルの回路図である。
【図１２】スキャンの際にフォトダイオードが外光を受光する構成を示した断面図である。
【図１３】通信システムに含まれる他の電子機器のハードウェア構成を表わすブロック図である。
【図１４】画像処理エンジンのハードウェア構成の詳細と、画像処理エンジンの周辺ブロックとを示した図である。
【図１５】電子機器の機能ブロックを示した機能ブロック図である。
【図１６】他の電子機器の機能ブロックを示した機能ブロック図である。
【図１７】認証時に電子機器の液晶パネルで表示される内容の遷移を示した遷移図である。
【図１８】認証時に他の電子機器の液晶パネルで表示される内容の遷移を示した遷移図である。
【図１９】電子機器の液晶パネルの表示面と、他の電子機器の液晶パネル２４０の表示面とを対向させて、データの送受信を行う際のデータの流れを説明するための図である。
【図２０】基準信号をデータ信号の上側に表示させる構成を示した図である。
【図２１】基準信号とデータ信号との組み合わせをパターンを示した図である。
【図２２】送信側の電子機器の表示面を受信側の電子機器の表示面に対向させた状態で、送信側の電子機器の表示面を所定の位置から９０度回転させた場合における、受信側の電子機器が受信する２つの信号の配列を示した図である。
【図２３】基準信号を表示する領域の大きさを、データ信号を表示する領域の大きさよりも大きくした場合における、基準信号とデータ信号とを示した図である。
【図２４】基準信号を表示する領域の形を矩形とし、データ信号を表示する領域の形を円形とした場合における、基準信号とデータ信号とを示した図である。
【図２５】基準信号を表示する領域の階調を、データ信号を表示する領域の階調よりも高くした場合における、基準信号とデータ信号とを示した図である。
【図２６】基準信号を表示する領域の色を赤色に、データ信号を表示する領域の色を青色にした場合における、基準信号とデータ信号とを示した図である。
【図２７】基準信号とデータ信号との出力タイミングを示したタイミングチャートである。
【図２８】電子機器と他の電子機器との間の通信のフローチャートである。
【図２９】電子機器の認証開始キーが押下された後の、電子機器の液晶パネルの表示面の表示内容を示した図である。
【図３０】他の電子機器がＲＥＡＤＹ信号を送信した後の、当該他の電子機器の液晶パネルの表示面の表示内容を示した図であって、かつ電子機器の表示面を当該他の電子機器の表示面に対向させた状態を示した図である。
【図３１】認証要求信号を送信する際の電子機器の表示面の表示内容を示した図である。
【図３２】他の電子機器が認証情報を受信した後（あるいは、認証準備完了信号を送信した後）の、当該他の電子機器の液晶パネルの表示面の表示内容を示した図であって、かつ電子機器の表示面を当該他の電子機器の表示面に対向させた状態を示した図である。
【図３３】認証が成功した場合の電子機器の液晶パネルの表示面に表示される内容を示した図である。
【図３４】認証が成功した場合の他の電子機器の液晶パネルの表示面に表示される内容を示した図である。
【図３５】電子機器の表示面の画面構成を示した図である。
【図３６】電子機器の表示面の画面構成を示した図である。
【図３７】通信用データのフォーマットを示した図である。
【図３８】図３７のコマンドを示すデータ領域に書き込まれるコードと、当該各コードが示す意味とを示した図である。
【図３９】初期通信時における、電子機器の表示面の画面構成を示した図である。
【図４０】初期通信時における、電子機器の表示面の画面構成を示した図である。
【図４１】本通信時における、電子機器の表示面の画面構成を示した図である。
【図４２】図４１に示した８つのデータ信号用の画素ブロックを示した図である。
【図４３】本通信時における、他の電子機器の表示面の画面構成を示した図である。
【図４４】図４３に示した８つのデータ信号用の画素ブロックを示した図である。
【図４５】デバイス情報を示した図である。
【図４６】通信パラメータを示した図である。
【図４７】初期通信における電子機器の通信領域の仕様を説明するための図である。
【図４８】本通信における電子機器の通信領域の仕様を説明するための図である。
【図４９】認証を行うにあたり、電子機器の液晶パネルの表示面と他の電子機器の液晶パネルの表示面とを対向させた状態を示した図である。
【図５０】図４９に示した状態で本通信が行われている場合の、他の電子機器の液晶パネルの表示面に表示される内容を示した図である。
【図５１】電子機器の液晶パネルの表示面の位置が認証中に変化した場合を示した図である。
【図５２】図５１に示すように電子機器が移動した場合における、他の電子機器の液晶パネルの表示面の表示内容を示した図である。
【図５３】データ送信時における電子機器の表示面を示した図である。
【図５４】電子機器と他の電子機器とが対向した状態において、電子機器が出力した図５３に示す基準信号およびデータ信号を他の電子機器が受信した状態を模式的に示した図である。
【図５５】抽出したデータ信号の領域を示した図である。
【図５６】データ信号の配列を補正した後の図である。
【図５７】受信したデータ信号をパターン解析した結果を示した図である。
【図５８】認証時の電子機器の処理の前半のフローを示したフローチャートである。
【図５９】認証時の電子機器の処理の後半のフローを示したフローチャートである。
【図６０】認証時の他の電子機器の処理の前半のフローを示したフローチャートである。
【図６１】認証時の他の電子機器の処理の後半のフローを示したフローチャートである。
【図６２】初期通信時における電子機器のデータの送信フローを示したフローチャートである。
【図６３】図６２のステップＳ２０３およびステップＳ２０８における処理の詳細のフローを示したフローチャートである。
【図６４】初期通信時における他の電子機器のデータの受信フローを示したフローチャートである。
【図６５】本通信時における電子機器のデータの送信フローを示したフローチャートである。
【図６６】図６５のステップＳ５０３およびステップＳ５０８における処理の詳細のフローを示したフローチャートである。
【図６７】本通信時における他の電子機器のデータの受信フローの前半を示したフローチャートである。
【図６８】本通信時における他の電子機器のデータの受信フローの後半を示したフローチャートである。
【図６９】課金処理を行なう前の、電子機器の表示面に表示される内容と他の電子機器の表示面に表示される内容を示した図である。
【図７０】課金処理を行なった後の、電子機器の表示面に表示される内容と電子機器の表示面に表示される内容を示した図である。
【図７１】他の電子機器において、送信領域と受信領域とが異なる領域に設定された場合を模式的に示した図である。
【図７２】他の電子機器において送信領域と受信領域とを異なる領域とした場合であって、送信領域と受信領域が横に並んで配された場合を模式的に示した図である。
【図７３】電子機器の送信領域と受信領域とが図７２に示す態様で設定された場合における、当該電子機器の送信領域と受信領域との配置を模式的に示した図である。
【発明を実施するための形態】
【００１９】
本発明に係る通信システムの一実施態様について、図１から図７３を参照して説明すると以下のとおりである。
【００２０】
＜システム構成＞
図１は、本実施の形態に係る通信システム１の構成を示した図である。図１を参照して、通信システム１は、カード型の電子機器１００と据置型の電子機器２００とを含む。
【００２１】
電子機器１００および電子機器２００は、それぞれ、光センサ内蔵液晶パネルを備えている。電子機器１００と電子機器２００とは、当該光センサ内蔵液晶パネルを用いて互いに通信を行う。具体的な通信の手法については、後述する。
【００２２】
電子機器１００および電子機器２００は、たとえば認証に用いられる。この場合、電子機器１００は被認証側の機器として動作し、電子機器２００は認証側の機器として動作する。電子機器１００は、ＰＤＡ（Personal Digital Assistant）や携帯型電話機などの表示機能を有する携帯型デバイスとして構成される。電子機器２００は、コンピュータに接続されるモニタやテレビなどの表示機能を有するデバイスとして構成される。
【００２３】
＜ハードウェア構成について−１＞
次に、電子機器１００の具体的構成の一態様について説明する。図２は、電子機器１００のハードウェア構成を表わすブロック図である。図２を参照して、電子機器１００は、主たる構成要素として、本体装置１０１と、表示装置１０２とを含む。
【００２４】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００２５】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどの書込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００２６】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００２７】
ドライバ１３０は、液晶パネル１４０およびバックライト１７９を駆動するための駆動回路である。ドライバ１３０に含まれる各種の駆動回路については、後述する。
【００２８】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００２９】
内部ＩＦ（Interface）１７８は、本体装置１０１と表示装置１０２との間で、データの遣り取りを仲介する。
【００３０】
バックライト１７９は、液晶パネル１４０の裏面に配置された光源である。バックライト１７９は、当該裏面に対して均一な光を照射する。
【００３１】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００３２】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００３３】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００３４】
上記コマンドは、上記光センサによりセンシングを指示するセンシングコマンドを含む。当該センシングコマンドの詳細および上記応答データの詳細については、後述する（図７〜図９）。
【００３５】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００３６】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００３７】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００３８】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００３９】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００４０】
ここでいうプログラムとは、ＣＰＵにより直接実行可能なプログラムだけでなく、ソースプログラム形式のプログラム、圧縮処理されたプログラム、暗号化されたプログラム等を含む。
【００４１】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００４２】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００４３】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００４４】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００４５】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００４６】
なお、ここでは、いわゆる線順次方式と呼ばれる駆動方式を用いて説明したが、駆動方式はこれに限定されるものではない。
【００４７】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００４８】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００４９】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００５０】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００５１】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００５２】
光センサ駆動回路１３３は、図２に示すドライバ制御部１８１から制御信号ＴＣ２を受ける。
【００５３】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００５４】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００５５】
なお、電圧ＶＤＤＲを印加するタイミング、および電圧ＶＤＤを印加するタイミングについては、後述する。
【００５６】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００５７】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００５８】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００５９】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００６０】
アンプ１３５は、各センサ信号線（ＳＳ１〜ＳＳｎ）から出力された電圧を増幅する。なお、増幅された電圧は、図２に示した信号処理部１８３に送られる。
【００６１】
なお、画素回路１４１を用いて画像を液晶パネル１４０に表示させるタイミングと、光センサ回路１４４を用いてセンシングするタイミングとについては、画像処理エンジン１８０が制御する。
【００６２】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００６３】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００６４】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００６５】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００６６】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００６７】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００６８】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００６９】
なお、フォトダイオード１４５の位置は、上記の位置に限定されるものではなく、カラーフィルタ１５３ｒに対向する位置やカラーフィルタ１５３ｇに対向する位置に設けることも可能である。
【００７０】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００７１】
以下では、光センサ回路１４４をリセットするためのリセット期間と、光センサ回路１４４を用いて光をセンシングするためのセンシング期間と、センシングした結果を読み出す読出期間とに分けて説明する。
【００７２】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００７３】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００７４】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００７５】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００７６】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００７７】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００７８】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００７９】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００８０】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００８１】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００８２】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００８３】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００８４】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【００８５】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【００８６】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【００８７】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【００８８】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【００８９】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【００９０】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【００９１】
図６は、液晶パネル１４０とバックライト１７９との断面図であって、スキャンの際にフォトダイオード１４５がバックライト１７９からの光を受光する構成を示した図である。
【００９２】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【００９３】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【００９４】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【００９５】
以上により、表示装置１０２は、指９００によって光が反射されることにより得られる像（以下、反射像とも称する）をスキャンすることができる。
【００９６】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【００９７】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【００９８】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【００９９】
図８は、センシングコマンドの各領域におけるデータの値と、当該値が示す意味内容とを示した図である。
【０１００】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１０１】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１０２】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１０３】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１０４】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１２）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１０５】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１０６】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１０７】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１０８】
図９は、応答データの概略構成を示した図である。応答データは、センシングコマンドの内容に応じたデータであって、表示装置１０２の画像処理エンジン１８０が本体装置１０１に対して送信するデータである。
【０１０９】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１１０】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１１１】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１１２】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１１３】
ただし、必ずしも中心座標の位置は上記に限定されるものではなく、中心座標を上記図心の座標あるいは図心の近傍の座標としてもよい。
【０１１４】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１１５】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１１６】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１１７】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１１８】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１１９】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１２０】
＜変形例について＞
ところで、液晶パネル１４０の構成は、図３に示した構成に限定されるものではない。以下では、図３とは異なる態様の液晶パネルについて説明する。
【０１２１】
図１１は、上記異なる態様である光センサ内蔵液晶パネル１４０Ａの回路図である。図１１を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１２２】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１２３】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１２４】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１２５】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１２６】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１２７】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１２８】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１２９】
以上述べたように、電子機器１００が液晶パネル１４０Ａを備えた構成とすることにより、スキャン対象物をカラーでスキャンできることになる。
【０１３０】
次に、図６を参照して説明したスキャンの方法（つまり、反射像をスキャンする方法）とは異なるスキャンの方法について、図１２を参照して説明する。
【０１３１】
図１２は、スキャンの際にフォトダイオードが外光を受光する構成を示した断面図である。図１２を参照して、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１３２】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１３３】
以上により、表示装置１０２は、指９００によって外光が遮られることにより得られる像（以下、影像とも称する）をスキャンすることができる。
【０１３４】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１３５】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１３６】
＜ハードウェア構成について−２＞
次に、電子機器２００の具体的構成の一態様について説明する。図１３は、電子機器２００のハードウェア構成を表わすブロック図である。図１３を参照して、電子機器２００は、主たる構成要素として、本体装置２０１と、表示装置２０２とを含む。
【０１３７】
本体装置２０１は、ＣＰＵ２１０と、ＲＡＭ２７１と、ＲＯＭ２７２と、ＣＤ−ＲＯＭ駆動装置２７３と、通信ＩＦ２７４と、マイク２７５と、スピーカ２７６と、操作キー２７７と、ＨＤＤ（Hard disk drive）２９９とを含む。各構成要素は、相互にデータバスＤＢ２によって接続されている。ＣＤ−ＲＯＭ駆動装置２７３には、ＣＤ−ＲＯＭ２７３１が装着される。
【０１３８】
ＣＰＵ２１０は、プログラムを実行する。操作キー２７７は、電子機器２００の使用者による指示の入力を受ける。ＲＡＭ２７１は、ＣＰＵ２１０によるプログラムの実行により生成されたデータ、または操作キー２７７を介して入力されたデータを揮発的に格納する。ＲＯＭ２７２は、データを不揮発的に格納する。通信ＩＦ２７４は、他の電子機器に有線により接続するためのインターフェイスである。たとえば、通信ＩＦ２７４に無線通信機を接続することにより、電子機器２００は無線通信を行うこともできる。ＨＤＤ２９９は、プログラム、およびＣＰＵ２１０によるプログラムの実行により生成されたデータを不揮発的に格納する。
【０１３９】
表示装置２０２は、ドライバ２３０と、光センサ内蔵液晶パネル２４０と、内部ＩＦ２７８と、バックライト２７９と、画像処理エンジン２８０とを含む。さらに、画像処理エンジン２８０は、ドライバ制御部２８１と、タイマ２８２と、信号処理部２８３とを含む。
【０１４０】
表示装置２０２は、光センサ内蔵液晶パネルにおける画素数、走査信号線およびデータ信号線の数、バックライトの大きさなどが異なる点を除けば、電子機器１００の表示装置１０２と略同様な構成を有する。
【０１４１】
つまり、ドライバ２３０、光センサ内蔵液晶パネル２４０、内部ＩＦ２７８、バックライト２７９、画像処理エンジン２８０は、表示装置１０２における、ドライバ１３０、液晶パネル１４０、内部ＩＦ１７８、バックライト１７９、画像処理エンジン１８０と同じ構成をそれぞれ有する。また、ドライバ制御部２８１、タイマ２８２、信号処理部２８３は、表示装置１０２における、ドライバ制御部１８１、タイマ１８２、信号処理部１８３と同じ構成をそれぞれ有する。
【０１４２】
したがって、表示装置２０２に含まれる各機能ブロックについての説明は、繰り返さない。
【０１４３】
ところで、電子機器２００における処理は、各ハードウェアおよびＣＰＵ２１０により実行されるソフトウェアによって実現される。このようなソフトウェアは、ＲＯＭ２７２またはＨＤＤ２９９に予め記憶されている場合がある。また、ソフトウェアは、ＣＤ−ＲＯＭ２７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、ＣＤ−ＲＯＭ駆動装置２７３その他の読取装置によりその記憶媒体から読み取られて、あるいは、通信ＩＦ２７４または図示しない通信部を介してダウンロードされた後、ＲＯＭ２７２またはＨＤＤ２９９に一旦格納される。そのソフトウェアは、ＣＰＵ２１０によってＲＯＭ２７２またはＨＤＤ２９９から読み出され、ＲＡＭ２７１に実行可能なプログラムの形式で格納される。ＣＰＵ２１０は、そのプログラムを実行する。
【０１４４】
図１３に示される電子機器２００の本体装置２０１を構成する各構成要素は、一般的なものである。したがって、本発明の本質的な部分は、ＲＡＭ２７１、ＲＯＭ２７２、ＨＤＤ２９９、ＣＤ−ＲＯＭ２７３１その他の記憶媒体に格納されたソフトウェア、あるいはネットワークを介してダウンロード可能なソフトウェアであるともいえる。なお、電子機器２００の本体装置２０１のハードウェアの動作は周知であるので、詳細な説明は繰り返さない。
【０１４５】
なお、記録媒体としては、ＣＤ−ＲＯＭに限られず、メモリカード、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを格納する媒体でもよい。
【０１４６】
ここでいうプログラムとは、ＣＰＵにより直接実行可能なプログラムだけでなく、ソースプログラム形式のプログラム、圧縮処理されたプログラム、暗号化されたプログラム等を含む。
【０１４７】
なお、本実施の形態においては、電子機器２００の表示装置として液晶パネルを例に挙げて説明しているが、液晶パネルの代わりに有機ＥＬパネルなどの他のパネルを用いてもよい。
【０１４８】
＜ハード構成の詳細＞
次に、電子機器１００の画像処理エンジン１８０のハードウェア構成の詳細について説明する。図１４は、画像処理エンジン１８０のハードウェア構成の詳細と、画像処理エンジン１８０の周辺ブロックとを示した図である。なお、図１４においては、本体装置１０１の各ブロックのうちＣＰＵ１１０のみを示し、他の部材についてはは示さない。また、図１４においては、表示装置１０２における、内部ＩＦ１７８およびバックライト１７９についても示さない。
【０１４９】
図１４を参照して、画像処理エンジン１８０のドライバ制御部１８１は、送信コントローラ１８１１と、ＶＲＡＭ（Video RAM）１８１２と、ＲＯＭ１８１３とを含む。
【０１５０】
ＶＲＡＭ１８１２は、液晶パネル１４０に表示する内容を記憶する。具体的には、ＶＲＡＭ１８１２は、ＣＰＵ１１０から送られてきた画像データを記憶する。送信コントローラ１８１１は、ＶＲＡＭ１８１２に格納された画像データをドライバ１３０に送信する。以上により、液晶パネル１４０に画像を表示することが可能となる。ＲＯＭ１８１３は、後述するデバイス情報などの双方向通信時に必要となる情報を予め記憶している。
【０１５１】
信号処理部１８３は、Ａ／Ｄ変換器１８３１と、受信コントローラ１８３２と、ＶＲＡＭ１８３３とを含む。
【０１５２】
Ａ／Ｄ変換器１８３１は、光センサ回路１４４から出力されるデータ（アナログデータ）をデジタルデータに変換する。そして、当該デジタルデータは、受信コントローラ１８３２によりＶＲＡＭ１８３３に順次記憶される。そして、ＶＲＡＭ１８３３に記憶された画像データ（スキャンデータ）は、信号処理部１８３によってＣＰＵ１１０に送られる。
【０１５３】
なお、ＶＲＡＭ１８１２とＶＲＡＭ１８３３とを、１つのＶＲＡＭで構成してもよい。
また、電子機器２００の画像処理エンジン２８０についても、電子機器１００の画像処理エンジン１８０と同様な構成を有する。そのため、画像処理エンジン２８０についての説明は繰り返さない。
【０１５４】
＜カード型の電子機器１００の機能ブロック＞
次に、電子機器１００の機能ブロックについて説明する。図１５は、電子機器１００の機能ブロックを示した機能ブロック図である。
【０１５５】
図１５を参照して、電子機器１００は、液晶パネル１４０と、制御部１０と、記憶装置４９と、操作キー１７７とを含む。なお、記憶装置４９は、図２に示したＲＡＭ１７１およびＲＯＭ１７２に該当する。また、図１５においては、ＣＰＵ１１０と、メモリカードリーダライタ１７３と、通信部１７４と、マイク１７５と、スピーカ１７６とは、説明の便宜上、図示していない。
【０１５６】
制御部１０は、電子機器１００における各種動作を制御する。また、制御部１０は、表示制御部１１と、受信部１２と、第１設定部１３と、第２設定部１４とを含む。なお、制御部１０および制御部１０内の各機能ブロックによる処理は、上述したように、ＣＰＵ１１０により実行されるソフトウェアによって実現される。
【０１５７】
ここで、制御部１０の各機能ブロックについて、説明する。
表示制御部１１は、操作キー１７７を介したユーザからの指示や、受信部１２からの指示等に従って、液晶パネル１４０の表示面に画像を表示させる。表示制御部１１は、液晶パネル１４０に、大別して、電子機器２００との通信に用いる通信用の画像と、通信用ではない画像（以下、「表示用の画像」と称する）とを表示させる。なお、以下では、電子機器１００の表示面と電子機器２００の表示面とが対向した状態を「対向状態」と称する。
【０１５８】
表示制御部１１は、対向状態にある電子機器２００にデータを送信する場合、当該データを自機器１００の液晶パネル１４０の表示面に画像として表示させる。この場合、電子機器２００は、電子機器１００の液晶パネル１４０の表示面に画像として表示されたデータを、自機器２００の光センサを介して受信する。
【０１５９】
具体的には、表示制御部１１は、操作キー１７７などを介して所定の入力を受け付けた場合や液晶パネル１４０を介して所定の入力を受け付けた場合、記憶装置４９に記憶された情報（たとえば、後述する通信用データのフォーマット）を基に、通信用データ（たとえば、後述する通信要求信号、デバイス情報を含むデータ）を生成する。そして、表示制御部１１は、当該読み出した通信用データを画像として液晶パネル１４０に表示させる。
【０１６０】
また、受信部１２が電子機器２００から送られてきた第１データを受信した場合、表示制御部１１は、記憶装置４９からデバイス情報を読み出す。そして、表示制御部１１は、当該読み出したデバイス情報を含むデータを画像として自機器の表示面に表示する。なお、デバイス情報には、少なくとも自機器１００の表示面のサイズ情報と、当該表示面のうち前記データの送受信に用いる自機器１００の通信領域についての位置情報とを含んでいる。デバイス情報の詳細については後述する。
【０１６１】
また、表示制御部１１は、受信部１２が電子機器２００から第２データを受け付けた場合、記憶装置４９から自機器１００の表示面のうち上記データの送受信が可能な領域を示した領域情報を読み出す。そして、表示制御部１１は、当該読み出した領域情報を含むデータを画像として自機器の表示面に表示する。領域情報については、後述する。
【０１６２】
さらに、表示制御部１１は、記憶装置４９に記憶された基準信号およびデータ信号を読み出し、当該読み出した基準信号とデータ信号とを液晶パネル１４０に画像として表示させる。
【０１６３】
なお、表示制御部１１が液晶パネル１４０に表示させる表示内容の詳細については後述する。
【０１６４】
受信部１２は、対向状態にある電子機器２００の液晶パネル２４０の表示面に画像として表示されたデータを、自機器１００の光センサ回路１４４を介して受信する。具体的には、受信部１２は、電子機器２００が液晶パネル２４０に表示した画像を光センサ回路１４４にセンシングさせる制御を行うことによって、電子機器２００から出力される通信用データ（たとえば、後述する通信パラメータ）を受信する。受信部１２が電子機器２００から通信用データを受け付けると、制御部１０は、当該受け付けたデータに基づいた処理を行う。
【０１６５】
また、受信部１２は、電子機器２００から液晶パネル１４０を介して受信したデータを解析する。
【０１６６】
ここで、データの送受信の際に電子機器２００の表示面と対向している自機器１００の表示面の領域を「第１領域Ｓ１」とする。第１設定部１３は、第１領域Ｓ１のうちデータの送受信に用いる通信領域を設定する。なお、通信領域の範囲の設定に関する具体例については後述する。
【０１６７】
以上のように、電子機器１００は、電子機器２００の液晶パネル２４０の表示面と自機器１００の液晶パネル１４０の表示面とを対向させた状態で、電子機器２００が表示した画像を自機器１００の光センサ回路１４４を介して受信部１２で受信するとともに、表示制御部１１によって表示させた画像を電子機器２００の光センサ回路１４４で検知させることにより、電子機器２００との間で双方向通信を行う。
【０１６８】
なお、以下では、電子機器２００との通信のために電子機器１００の表示制御部１１が液晶パネル１４０の表示面に画像を表示することを、「データの送信」とも称する。
【０１６９】
第２設定部１４は、データの送受信の際に電子機器２００にデータを送信する表示面の送信領域と、当該データの送受信の際に電子機器２００からデータを受信する表示面の受信領域とを、同じ領域に設定する。以下では、電子機器１００におけるデータの送信領域とデータの受信領域とを同一の領域にした構成について説明する。
【０１７０】
＜据置型の電子機器２００の機能ブロック＞
次に、電子機器２００の機能ブロックについて説明する。図１６は、電子機器２００の機能ブロックを示した機能ブロック図である。
【０１７１】
図１６を参照して、電子機器２００は、液晶パネル２４０と、制御部５０と、記憶装置９９と、操作キー２７７とを含む。なお、記憶装置９９は、図１３に示したＲＡＭ２７１，ＲＯＭ２７２，ＨＤＤ２９９に該当する。また、図１６においては、ＣＰＵ２１０と、ＣＤ＿ＲＯＭ駆動装置２７３と、通信ＩＦ２７４と、マイク２７５と、スピーカ２７６とは、説明の便宜上、図示していない。
【０１７２】
制御部５０は、電子機器２００における各種動作を制御する。また、制御部５０は、表示制御部５１と、受信部５２と、判断部５３と、第１設定部５４と、認証部５５と、パラメータ決定部５６と、第２設定部５７とを含む。また、判断部５３は、検知部５３Ａと、更新部５３Ｂとを含む。なお、制御部５０および制御部５０内の各機能ブロックによる処理は、上述したように、ＣＰＵ２１０により実行されるソフトウェアによって実現される。
【０１７３】
ここで、制御部５０の各機能ブロックについて、説明する。
表示制御部５１は、操作キー２７７を介したユーザからの指示や、受信部５２からの指示等に従って、液晶パネル２４０の表示面に画像を表示させる。表示制御部５１は、液晶パネル２４０に、大別して、電子機器１００との双方向通信に用いる通信用の画像と、表示用の画像とを表示させる。
【０１７４】
表示制御部５１は、対向状態にある電子機器１００にデータを送信する場合、当該データを自機器２００の液晶パネル２４０の表示面に画像として表示させる。この場合、電子機器１００は、電子機器２００の液晶パネル２４０の表示面に画像として表示されたデータを、自機器１００の光センサを介して受信する。
【０１７５】
また、表示制御部５１は、記憶装置９９に記憶された基準信号およびデータ信号を読み出し、当該読み出した基準信号とデータ信号とを液晶パネル２４０に画像として表示させる。
【０１７６】
なお、表示制御部５１が液晶パネル２４０に表示させる表示内容の詳細については後述する。
【０１７７】
受信部５２は、対向状態にある電子機器１００の液晶パネル１４０の表示面に画像として表示されたデータを、自機器２００の光センサを介して受信する。具体的には、受信部５２は、電子機器１００が液晶パネル１４０に表示した画像を光センサ回路にセンシングさせる制御を行うことによって、電子機器１００から出力される通信用データを受信する。受信部５２が電子機器１００から通信用データを受け付けると、制御部５０は、当該受け付けたデータに基づいた処理を行う。
【０１７８】
また、受信部５２は、液晶パネル２４０を介して受信したデータを解析する。
ここで、データの送受信の際に電子機器１００の表示面と対向している自機器２００の表示面の領域を「第１領域Ｌ１」とする。また、自機器２００の表示面のうち第１領域Ｌ１と異なる領域を「第２領域Ｌ２」とする。判断部５３は、上記受信したデバイス情報（詳しくは、後述するサイズ情報）と、自機器２００の表示面のうち上記データの受信に用いる自機器２００の通信領域についての位置を示した位置情報とに基づき、第２領域Ｌ２の位置を判断する。なお、位置情報については、後述する。
【０１７９】
検知部５３Ａは、自機器２００の表示面のうち上記データの受信に用いる領域の位置の変化を検知する。
【０１８０】
更新部５３Ｂは、検知部５３Ａの検知結果に基づき、第２領域Ｌ２の位置を示した位置情報を更新する。
【０１８１】
このように検知と更新とを行うことにより、判断部５３が第２領域Ｌ２の位置を一旦判断した場合であっても、電子機器２００の表示面に対する電子機器１００の表示面の位置の変化が生じたときには、判断部５３は、第２領域Ｌ２の位置を再度判断することができる。
【０１８２】
なお、位置情報を更新するタイミングについては後述する（図６１）。
第１設定部５４は、第１領域Ｌ１のうち双方向通信に用いる通信領域を設定する。なお、通信領域の範囲の設定に関する具体例については後述する。
【０１８３】
認証部５５は、電子機器１００から受け付けた通信データ（認証用データ）に基づき、認証を行う。そして、認証に成功した場合には、電子機器２００は、他の装置（図示せず）の動作を制御する。たとえば、建物のゲートを閉状態から開状態へと変化させる。また、認証に成功した場合には、受信部５２は、液晶パネル２４０を介して電子機器１００に認証に成功したことを示した認証結果を送信する。一方、認証に失敗した場合には、液晶パネル２４０を介して電子機器１００に認証に失敗したことを示した認証結果を送信する。
【０１８４】
パラメータ決定部５６は、電子機器１００から受信したデバイス情報に基づき、前記データの送受信に用いる通信パラメータを決定する。具体的には、パラメータ決定部５６は、後述する本通信時における通信パラメータを決定する。なお、通信パラメータの詳細については後述する（図４６）。
【０１８５】
以上のように、電子機器２００は、電子機器１００の液晶パネル１４０の表示面と自機器２００の液晶パネル２４０の表示面とを対向させた状態で、電子機器１００が表示した画像を自機器２００の光センサを介して受信部５２で受信するとともに、表示制御部５１によって表示させた画像を電子機器１００の光センサ回路１４４で検知させることにより、電子機器１００との間で双方向通信を行う。
【０１８６】
なお、以下では、電子機器１００との通信のために電子機器２００の表示制御部５１が液晶パネル２４０の表示面に画像を表示することを、「データの送信」とも称する。
【０１８７】
第２設定部５７は、データの送受信の際に電子機器１００にデータを送信する表示面の送信領域と、当該データの送受信の際に電子機器１００からデータを受信する表示面の受信領域とを、同じ領域に設定する。以下では、電子機器２００におけるデータの送信領域とデータの受信領域とを同一の領域にした構成を前提として説明する。
【０１８８】
＜認証の概要＞
ここで、通信システム１における認証の概要について説明する。通信システム１における認証は、対向状態で行われる。具体的には、上記認証は、電子機器１００と電子機器２００との間で双方向通信（データの送受信）を行うことにより行われる。ここで、対向している領域おいては、電子機器１００および電子機器２００とも外光が両表示面に入射しないように、両表示面を互いに密着することが好ましい。なお、双方向通信で送受信されるデータについては、後述する。
【０１８９】
図１７は、認証時に液晶パネル１４０で表示される内容の遷移を示した遷移図である。
まず、電子機器１００のユーザにより認証開始ボタンが押されると、制御部１０が自機器１００のシステムを初期化した後、図１７に示すとおり、液晶パネル１４０は認証を開始する旨の表示をする。たとえば、図１７に示すとおり、液晶パネル１４０は、「認証します」との表示をする。
【０１９０】
その後、認証に成功すると、表示制御部１１は、認証に成功した旨を液晶パネル１４０に表示させる。一方、認証に失敗すると、表示制御部１１は、認証に失敗した旨を液晶パネル１４０に表示させる。また、認証中に、電子機器２００との通信において通信エラーが発生した場合には、表示制御部１１は、通信エラーが発生した旨を液晶パネル１４０に表示させる。
【０１９１】
図１８は、認証時に液晶パネル２４０で表示される内容の遷移を示した遷移図である。
まず、電子機器２００が電子機器１００から通信要求信号を受信待ちの状態において、電子機器２００が人間の接近をセンサ（図示）等で検知すると、認証を開始する旨の表示をする。たとえば、図１８に示すとおり、液晶パネル２４０は、「認証を行います。画面を…」との表示をする。
【０１９２】
その後、電子機器２００が通信要求信号を電子機器１００から受信すると、液晶パネル２４０は、認証を実行中であることを示す旨の表示を行う。そして、認証に成功した場合には、液晶パネル２４０は、認証の成功に伴い実行される処理を開始する旨の表示を行う。たとえば、図１８に示すとおり、液晶パネル２４０は「ドアが開きます」といった表示を行う。一方、認証に失敗した場合には、液晶パネル２４０は、認証に失敗した旨を示す表示を行う。また、認証中に、電子機器１００との通信において通信エラーが発生した場合には、液晶パネル２４０は、通信エラーが発生した旨の表示を行う。
【０１９３】
このように、電子機器１００および電子機器２００は、認証時に、それぞれの液晶パネル１４０，２４０の表示面にユーザに対するメッセージを表示する。この際、電子機器２００の液晶パネル２４０が当該メッセージを表示する位置の詳細については、後述する。
【０１９４】
以上のように、電子機器１００のユーザは、電子機器２００の液晶パネル２４０および電子機器１００の液晶パネル１４０で、認証状況を確認することができる。また、認証状況は、図１７および図１８に示すとおり、文字などで表示される。したがって、単に色で認証状況を示す構成の通信システムに比べ、ユーザは認証状況を容易に視認できる。また、認証に用いるセンサ（つまり光センサ）が表示装置である液晶パネルに内蔵されているため、センサと表示装置とが別体である通信システムに比べ、ユーザは認証状況を視認し易い。また、対向状態で認証が行なわれるため、他人の盗聴を防止できる。さらに、同様な理由により、通信システム１は通信障害の発生が少ない。
【０１９５】
＜データ送受信の概要＞
図１９は、電子機器１００の液晶パネル１４０の表示面と、電子機器２００の液晶パネル２４０の表示面とを対向させた状態で、データの送受信を行う際のデータの流れを説明するための図である。
【０１９６】
図１９を参照して、電子機器１００において、まず、記憶装置４９（具体的には、図１４に示すＶＲＡＭ１８１２）に記憶された画像データが液晶パネル１４０に表示される。この状態で、電子機器１００のユーザは、電子機器１００の表示面と電子機器２００の表示面とを対向させる。そして、電子機器２００は、上述したセンシングを行う。電子機器２００は、１画素（単位ピクセル）毎に光センサ回路１４４を備える構成であるため、光センサ回路１４４は、カラーフィルタ１５３ｂを透過した光の受光量を１画素毎に検出できる。それゆえ、電子機器２００の記憶装置９９（具体的には、図１４に示すＶＲＡＭ１８３３）には、電子機器１００が表示面に表示した画像と略同一な画像の画像データが記憶される。
【０１９７】
ここで、一方の電子機器（たとえば電子機器１００）から他方の電子機器（たとえば電子機器２００）にデータ（以下、データ信号と称する）を送信する場合、送信側の電子機器と受信側の電子機器２００との間で同期をとるための信号（以下、「基準信号」と称する）を用いることが好ましい。
【０１９８】
この理由は以下のとおりである。基準信号を用いなくてもデータの送受信のタイミングを固定すればデータの送受信は行うことができる。しかしながら、通信速度が決まってしまうといった問題が生じる。また、通信システム１に様々な通信速度を有する電子機器が混在するような場合には、各電子機器間同士でデータの送受信が行えなくなるといった互換性の問題が生じる。データ信号の他に基準信号をも用いる理由は、このような問題を生じさせないためである。
【０１９９】
当該理由から、電子機器１００および電子機器２００では、互いに、基準信号とデータ信号とを用いて双方向通信を行う。
【０２００】
ところで、基準信号とデータ信号とを用いる場合、受信側の電子機器では、当該２つの信号を区別する必要がある。区別の方法として、たとえば、基準信号をデータ信号の上側に表示させる取り決めを、電子機器１００と電子機器２００との間で予め行うことが挙げられる。図２０は、基準信号をデータ信号の上側に表示させる構成を示した図である。このような取り決めを行っておくことにより、電子機器１００および電子機器２００は、いずれが受信側の電子機器になっても送信側の電子機器から送られてくる２つの信号を区別することができる。
【０２０１】
図２１は、上記のような取り決めを行っていた場合における、基準信号とデータ信号との組み合わせをパターンを示した図である。図２１を参照して、基準信号が表示されていない場合（左側の欄）には、データ信号が表示されていない場合（上欄）と、データ信号が表示されている場合（下欄）とがある。同様に、基準信号が表示されている場合（右側の欄）には、データ信号が表示されていない場合（上欄）と、データ信号が表示されている場合（下欄）とがある。つまり、基準信号とデータ信号との表示の組み合わせは、４通り存在する。
【０２０２】
しかしながら、上述したように基準信号をデータ信号の上側に表示させる取り決めを行っている場合、以下のような問題が生じる。図２２は、送信側の電子機器（ここでは、電子機器１００）の表示面を受信側の電子機器の表示面に対向させた状態で、送信側の電子機器の表示面を所定の位置から９０度回転させた場合における、受信側の電子機器（ここでは、電子機器２００）が受信する上記２つの信号の配列を示した図である。
【０２０３】
図２２を参照して、受信側の電子機器２００では、上記センシングを行うと、水平方向に基準信号とデータ信号とが並んで検出される。このため、上記のように基準信号をデータ信号の上側に表示させる取り決めを行っていても、電子機器２００は、基準信号とデータ信号との区別ができない。
【０２０４】
このような問題点を解消するため、以下のような複数の手法を採ることができる。
第１の手法は、基準信号を表示する領域の大きさと、データ信号を表示する領域の大きさとを異ならせる手法である。図２３は、基準信号を表示する領域の大きさを、データ信号を表示する領域の大きさよりも大きくした場合における、基準信号とデータ信号とを示した図である。なお、図２３では、基準信号をデータ信号の上側に表示させている構成を示しているが、当該手法では受信側の電子機器において基準信号とデータ信号との区別がつくため、基準信号とデータ信号との位置関係は、これに限定されるものではない。当該位置関係が限定されないことについては、以下の他の手法の場合も同様である。
【０２０５】
第２の手法は、基準信号を表示する領域の形と、データ信号を表示する領域の形とを異ならせる手法である。図２４は、基準信号を表示する領域の形を矩形とし、データ信号を表示する領域の形を円形とした場合における、基準信号とデータ信号とを示した図である。
【０２０６】
第３の手法は、基準信号を表示する領域の階調と、データ信号を表示する領域の階調とを異ならせる手法である。図２５は、基準信号を表示する領域の階調を、データ信号を表示する領域の階調よりも高くした場合における、基準信号とデータ信号とを示した図である。
【０２０７】
第４の手法は、基準信号を表示する領域の色（輝度）と、データ信号を表示する領域の色（輝度）とを異ならせる手法である。図２６は、基準信号を表示する領域の色を赤色に、データ信号を表示する領域の色を青色にした場合における、基準信号とデータ信号とを示した図である。
【０２０８】
以上述べた４つの手法を用いることにより、受信側の電子機器において基準信号とデータ信号とを正確に区別することが可能となる。
【０２０９】
＜データ送受信のタイミングについて＞
次に、電子機器１００と電子機器２００との間で双方向通信を行う際のデータの送受信のタイミングについて説明する。以下では、説明の便宜上、データの送信側を電子機器１００と、データの受信側を電子機器２００として説明する。なお、データの送信側を電子機器２００と、データの受信側を電子機器１００とした場合も同様であるため、説明は繰り返さない。
【０２１０】
まず、送信側の電子機器１００の動作について説明する。図２７は、基準信号とデータ信号との出力タイミングを示したタイミングチャートである。具体的には、図２７は、２進数「１０１０１１００」（１６進数表記ではＣ９）を送信する場合のタイミングチャートである。この場合、表示制御部１１は、図２７に示すタイミングに同期して、基準信号とデータ信号とを液晶パネル１４０に画像として表示させる。なお、送信するデータ信号は一例であって、当該「１０１０１１００」に限定されるものではない。
【０２１１】
データ信号「１０１０１１００」を送信するに当たり、表示制御部１１は、基準信号をハイレベル「１」としてから時間２ｔ１経過するまで、基準信号とデータ信号との出力をハイレベル「１」とする。時間２ｔ１経過すると、表示制御部１１は、時間ｔ２にわたり基準信号の出力をローレベル「０」とする。この後、表示制御部１１は、時間ｔ２の間隔で、基準信号の出力を、ハイレベルとローレベルとの間で切換える。
【０２１２】
また、表示制御部１１は、基準信号の出力レベルの切換えに同期して、送信すべきデータ信号を出力する。たとえば、時間２ｔ１経過して基準信号の出力がローレベルに切換わると、表示制御部１１は、「１０１０１１００」の最初の「１」を出力する。その後、表示制御部１１は、ｔ２の間隔で、順次、「０」、「１」、「０」、「１」、「１」、「０」、「０」を出力する。
【０２１３】
このような基準信号とデータ信号との出力により、上記時間２ｔ１が経過するまでのデータ信号「１」と、送信すべき８桁のデータ信号「１０１０１１００」とを含んだ９桁の信号「１１０１０１１００」に基づいた画像が液晶パネル１４０に表示される。
【０２１４】
次に、受信側の電子機器２００の動作について説明する。まず、電子機器２００は、電気機器１００の液晶パネル１４０に表示される基準信号およびデータ信号がハイレベル「１」になるまで待機する。基準信号およびデータ信号がともにハイレベル「１」になったことを液晶パネル２４０のセンシングにより受信部５２が検知すると、受信部５２は、基準信号とデータ信号との判別を行う。この判別の手法は、図２０、図２３〜図２６に基づいた説明に従うので、ここでは説明を繰り返さない。
【０２１５】
基準信号およびデータ信号がともにハイレベル「１」になったこと検知してから時間ｔ１経過した後、基準信号およびデータ信号がともにハイレベル「１」でないことを受信部５２が検知すると、再度、電子機器２００は基準信号およびデータ信号がハイレベル「１」になるまで待機する。
【０２１６】
そして、基準信号がハイレベル「１」からローレベル「０」へと切換わったことを受信部５２が検知すると、受信部５２は、当該切換わりを検知した直後のデータ信号を記憶装置９９に記憶する。図２７の場合、最初の時間ｔ２のデータ信号「１」を記憶する。この後、基準信号の出力の切換えを受信部５２が検知するたびに、切換わりを検知した直後のデータ信号を記憶装置９９に記憶する。
【０２１７】
このような処理を受信部５２が行うことにより、電子機器２００の記憶装置９９には、「１０１０１１００」といった８桁のデータが記憶される。これにより、電子機器１００と電子機器２００との間におけるデータの送受信を行うことができる。
【０２１８】
ここで、受信側の電子機器２００において、受信部５２による基準信号およびデータ信号のサンプリングについて説明する。受信部５２による基準信号およびデータ信号のサンプリングは所定の間隔で行われる。このサンプリング間隔は、上述したｔ２に限定されるのものではなく、ｔ２よりも短い間隔であればよい。
【０２１９】
この場合、たとえば基準信号がローレベル「０」を維持している期間に、複数回のデータ信号のサンプリングが行われる可能性がある。この場合には、受信部５２は、基準信号とデータ信号との組として、たとえば「０，１」と「０，１」といった信号を検知することになる。受信部５２は、このような場合には、基準信号が切換わっていないことから、２回目のサンプリング結果「０，１」を無効とし、１回目のサンプリング結果「０，１」のみを有効とする。そして、受信部５２は、有効とした基準信号とデータ信号との組のうち、データ信号を記憶装置９９に記憶する。
【０２２０】
このような構成とすることにより、電子機器１００と電子機器２００との間において正確なデータの送受信を行うことができる。
【０２２１】
＜通信システムのフローチャート＞
次に、電子機器１００と電子機器２００との間の通信フローについて説明する。図２８は、電子機器１００と電子機器２００との間の通信のフローチャートである。
【０２２２】
まず、電子機器１００の操作キー１７７のうち認証を開始するためのキー（以下、認証開始キー）が押下された場合、電子機器１００は、通信要求信号を液晶パネル１４０に表示することにより、当該通信要求信号を電子機器２００に送信する（Ｓ１）。ステップＳ１の後、電子機器２００が通信要求信号を液晶パネル２４０を介して受信すると、電子機器２００は、液晶パネル２４０を介して電子機器１００にＲＥＡＤＹ信号を送信する（Ｓ２）。ステップＳ２の後、電子機器１００がＲＥＡＤＹ信号を受信すると、電子機器１００は、自機器１００のデバイス情報を含んだデータを電子機器２００に送信する（Ｓ３）。電子機器２００がデバイス情報を受信すると、電子機器２００は、当該デバイス情報に基づき生成された通信パラメータを含んだデータを電子機器１００に送信する（Ｓ４）。なお、以下では、ステップＳ１からステップＳ４までのデータの送受信を、「初期通信」と称する。
【０２２３】
ステップＳ５以降は、電子機器１００および電子機器２００は、上記通信パラメータに基づいた通信を行う。まず、電子機器１００は、認証要求信号を電子機器２００に送信する（Ｓ５）。電子機器２００が上記認証要求信号を受信すると、電子機器２００は認証に必要な処理を行う。そして、電子機器２００は、認証の準備が整うと、電子機器１００に対して、認証準備ができたことを示す認証準備完了信号を送信する（Ｓ６）。
【０２２４】
電子機器１００が上記認証準備完了信号を受信すると、電子機器１００は、認証情報を含んだデータを電子機器２００に送信する（Ｓ７）。電子機器２００が上記認証情報を含んだデータを受信すると、電子機器２００は、上記認証情報を用いて認証を行う。そして、認証が終了すると、電子機器２００は、電子機器１００に対して認証結果を送信する（Ｓ８）。以上により、一連の処理が終了する。
【０２２５】
＜初期通信および本通信での表示内容について＞
次に、図２８に示したフローチャートの初期通信時および本通信時における、電子機器１００の表示面の表示内容および電子機器２００の表示面の表示内容について説明する。
【０２２６】
図２９は、電子機器１００の認証開始キーが押下された後の、電子機器１００の液晶パネル１４０の表示面の表示内容を示した図である。図２９を参照して、電子機器１００は、液晶パネル１４０の表示面に、認証を開始する旨の表示と、基準信号およびとデータ信号とを表示する。
【０２２７】
図３０は、電子機器２００がＲＥＡＤＹ信号を送信した後の、電子機器２００の液晶パネル２４０の表示面の表示内容を示した図であって、かつ電子機器１００の表示面を電子機器２００の表示面に対向させた状態を示した図である。図３０を参照して、電子機器２００は、液晶パネル２４０の表示面に、電子機器１００のユーザをガイドする内容を表示する。
【０２２８】
図３１は、認証要求信号を送信する際の電子機器１００の表示面の表示内容を示した図である。図３１を参照して、基準信号とデータ信号とは表示面の上側に表示される。なお、当該表示面の下側には、制御部１０によりデータ入力領域が形成される。
【０２２９】
初期通信時は、１つのデータ信号を液晶パネル１４０に表示する構成であったが、本通信時には、１つ以上のデータ信号を液晶パネルに表示する。なお、本通信時におけるデータ信号の数については後述する。また、初期通信時および本通信時における基準信号の数についても後述する。
【０２３０】
図３２は、電子機器２００が認証情報を受信した後（あるいは、認証準備完了信号を送信した後）の、電子機器２００の液晶パネル２４０の表示面の表示内容を示した図であって、かつ電子機器１００の表示面を電子機器２００の表示面に対向させた状態を示した図である。図３２を参照して、電子機器２００は、液晶パネル２４０の表示面に、認証中であることを示す表示を行う。
【０２３１】
図３３は、認証が成功した場合の電子機器１００の液晶パネル１４０の表示面に表示される内容を示した図である。図３３を参照して、電子機器１００は、認証に成功したことを示す内容を表示面に表示する。
【０２３２】
図３４は、認証が成功した場合の電子機器２００の液晶パネル２４０の表示面に表示される内容を示した図である。図３４を参照して、電子機器２００は、認証が成功した場合に行われる動作を示した内容を表示面に表示する。
【０２３３】
＜画面構成について＞
次に、電子機器１００の表示面の画面構成と、電子機器２００の表示面の画面構成とについて説明する。なお、以下では、説明の便宜上、１ピクセルが１ｍｍ×１ｍｍの正方形の形状であるとする。
【０２３４】
図３５は、電子機器１００の表示面の画面構成を示した図である。図３５を参照して、電子機器２００との通信に用いることが可能な電子機器１００の領域（以下、通信可能領域と称する）のサイズは、縦サイズ（ｄＬＹ）が１００ｍｍであり、横サイズ（ｄＬＸ）が１５０ｍｍである。また、当該通信可能領域の解像度は、縦サイズ（ｄＨ）が１００ピクセルであり、横サイズ（ｄＷ）が１５０ピクセルである。
【０２３５】
図３６は、電子機器２００の表示面の画面構成を示した図である。図３６を参照して、電子機器１００との通信に用いることが可能な電子機器２００の通信可能領域のサイズは、縦のサイズが３００ｍｍであり、横のサイズが４００ｍｍである。また、当該通信可能領域の解像度は、縦のサイズが３００ピクセルであり、横のサイズが４００ピクセルである。
【０２３６】
なお、図３５および図３６に示した各サイズは例示であって、当該サイズに限定されるものではない。
【０２３７】
次に、電子機器１００と電子機器２００との間において送受信される通信用データのフォーマットについて説明する。
【０２３８】
図３７は、通信用データのフォーマットを示した図である。図３７を参照して、通信用データは、コマンドを示すデータ領域ＤＡ２１と、予備のデータ領域ＤＡ２２と、パリティビットＤＡ２３と、データを示すデータ領域ＤＡ２４とを含む。
【０２３９】
図３８は、図３７のコマンドを示すデータ領域ＤＡ２１に書き込まれるコードと、当該各コードが示す意味とを示した図である。図３８に示すとおり、たとえば、データ領域ＤＡ２１に「００１０」が設定された通信用データは、受信側の電子機器においてはデバイス情報を示す信号であると解釈される。
【０２４０】
（初期通信時の画面構成）
次に、初期通信時における、電子機器１００の表示面の画面構成と、電子機器２００の表示面の画面構成とについて説明する。
【０２４１】
図３９は、初期通信時における、電子機器１００の表示面の画面構成を示した図である。図３９を参照して、電子機器１００の表示面は、表示用領域と通信用領域とを含む。また、通信用領域には、基準信号とデータ信号とが表示される。当該通信用領域は、上述した通信可能領域に含まれる。
【０２４２】
初期通信時においては、単位時間当たり、１つのデータ信号が表示面に表示される。また、初期通信時においては、２つの基準信号が表示面に表示される。なお、これは一例であって、データ信号および基準信号の数が、上記の数に限定されるものではない。
【０２４３】
電子機器１００の通信用領域は、縦２５ピクセル×横２５ピクセルで構成される画素領域（以下、「画素ブロック」と称する）を３つ含む。当該３つの画素ブロックのうち一番上の画素ブロックＢＬ＿Ａ１と一番下の画素ブロックＢＬ＿Ａ２とは、基準信号の出力のために用いられる。また、真中の画素ブロックＢＬ＿Ａ３がデータ信号の出力のために用いられる。また、これらの３つの画素ブロックの位置は、電子機器１００において予め定められている。なお、１つの画素ブロックのサイズは、２５ピクセル×２５ピクセルに限定されるものではない。
【０２４４】
また、以下では、電子機器１００において、一番上の画素ブロックを用いて出力される基準信号を「基準信号Ｓ＿Ａ１」と称し、一番下の画素ブロックを用いて出力される基準信号を「基準信号Ｓ＿Ａ２」と称する。さらに、真中の画素ブロックＢＬ＿Ａ３を用いて出力されるデータ信号を、「データ信号Ｄ＿Ａ１」と称する。
【０２４５】
また、各画素ブロック（ＢＬ＿Ａ１〜ＢＬ＿Ａ３）の領域をあわせた領域（横２５ピクセル×縦７５ピクセル）を、「第１通信領域ＳＶ」と称する。
【０２４６】
図４０は、初期通信時における、電子機器２００の表示面の画面構成を示した図である。図４０を参照して、電子機器２００の表示面は、表示用領域と通信用領域とを含む。また、通信用領域には、基準信号とデータ信号とが表示される。当該通信用領域は、上述した通信可能領域に含まれる。
【０２４７】
電子機器２００の通信用領域は、電子機器１００の通信用領域と同じ大きさを有する。つまり、電子機器２００の通信用領域は、画素ブロック（縦２５ピクセル×横２５ピクセルで構成される画素領域）を３つ含む。当該３つの画素ブロックのうち一番上の画素ブロックＢＬ＿Ｂ１と一番下の画素ブロックＢＬ＿Ｂ２とは、基準信号の出力のために用いられる。また、真中の画素ブロックＢＬ＿Ｂ３がデータ信号の出力のために用いられる。
【０２４８】
このような通信システム１においては、電子機器１００が自機器１００の通信領域を用いて出力した基準信号とデータ信号とを、電子機器２００が自機器２００の通信領域に含まれる画素内の光センサ回路を用いて受信する。また、電子機器２００が自機器２００の通信領域を用いて出力した基準信号とデータ信号とを、電子機器１００が自機器１００の通信領域に含まれる画素内の光センサ回路を用いて受信する。
【０２４９】
なお、以下では、電子機器２００において、一番上の画素ブロックＢＬ＿Ｂ１を用いて出力される基準信号を「基準信号Ｓ＿Ｂ１」と称し、一番下の画素ブロックＢＬ＿Ｂ２を用いて出力される基準信号を「基準信号Ｓ＿Ｂ２」と称する。さらに、真中の画素ブロックＢＬ＿Ｂ３を用いて出力されるデータ信号を、「データ信号Ｄ＿Ｂ１」と称する。
【０２５０】
また、各画素ブロック（ＢＬ＿Ｂ１〜ＢＬ＿Ｂ３）の領域をあわせた領域（横２５ピクセル×縦７５ピクセル）を、「第１通信領域ＬＶ」と称する。
【０２５１】
（本通信時の画面構成）
次に、本通信時における、電子機器１００の表示面の画面構成と、電子機器２００の表示面の画面構成とについて説明する。
【０２５２】
図４１は、本通信時における、電子機器１００の表示面の画面構成を示した図である。図４１を参照して、電子機器１００の表示面は、表示用領域と通信用領域とを含む。
【０２５３】
通信用領域は、通信可能領域の中央に２行４列の８つのデータ信号用の画素ブロックを含む。つまり、本通信時には、８ビットのデータ通信が行なわれる。したがって、本通信時には、電子機器１００は、初期通信時に比べて、単位時間当たり８倍のデータを電子機器２００に送信可能となる。
【０２５４】
また、通信用領域は、５つの基準信号用の画素ブロック（ＢＬ＿Ｃ１〜ＢＬ＿Ｃ５）を含む。５つの基準信号用の画素ブロック（ＢＬ＿Ｃ１〜ＢＬ＿Ｃ５）のうち４つの基準信号用の画素ブロック（ＢＬ＿Ｃ１，ＢＬ＿Ｃ２，ＢＬ＿Ｃ３，ＢＬ＿Ｃ５）は、通信可能領域の４つの隅にそれぞれ設定される。また、残りの１つの基準信号用の画素ブロックＢＬ＿Ｃ４は、上記４つの基準信号のいずれか１つの画素ブロックと隣接する位置に設定される。図４１では、残りの１つの基準信号用の画素ブロックＢＬ＿Ｃ４は、左下隅に配された基準信号用の画素ブロックＢＬ＿Ｃ５に隣接した位置に設定される。
【０２５５】
なお、以下では、基準信号用の画素ブロック（ＢＬ＿Ｃ１〜ＢＬ＿Ｃ５）を用いて出力される基準信号を、画素ブロックＢＬ＿Ｃ１から画素ブロックＢＬ＿Ｃ５の順に、「基準信号Ｓ＿Ｃ１」、「基準信号Ｓ＿Ｃ２」、「基準信号Ｓ＿Ｃ３」、「基準信号Ｓ＿Ｃ４」、「基準信号Ｓ＿Ｃ５」と称する。
【０２５６】
通信可能領域の右下隅に配された基準信号用の画素ブロックＢＬ＿Ｃ３に隣接した画素ブロックＢＬ＿Ｃ６（２５ピクセル×２５ピクセルの領域）は、電子機器２００から出力される基準信号を受信する領域として用いられる。
【０２５７】
このように、本通信時においては、５つの基準信号を用いる。ただし、基準信号の数は、５つに限定されるものではない。たとえば、１つの基準信号あるいは２つの基準信号といった５つよりも少ない基準信号を用いても、本通信は可能である。
【０２５８】
表示用領域は、８つのデータ信号用の画素ブロックの上下左右の４つの領域からなる。
なお、表示制御部１１は、電子機器１００における画素ブロックの位置や大きさを、通信パラメータに基づいて決定する。
【０２５９】
図４２は、図４１に示した８つのデータ信号用の画素ブロックを示した図である。図４２を参照して、上の段の左から右へと、画素ブロックＢＬ＿Ｃ１１、画素ブロックＢＬ＿Ｃ１２、画素ブロックＢＬ＿Ｃ１３、画素ブロックＢＬ＿Ｃ１４が配される。また、下の段の左から右へと、画素ブロックＢＬ＿Ｃ１５、画素ブロックＢＬ＿Ｃ１６、画素ブロックＢＬ＿Ｃ１７、画素ブロックＢＬ＿Ｃ１８が配される。
【０２６０】
なお、以下では、画素ブロック（ＢＬ＿Ｃ１１〜ＢＬ＿Ｃ１８）を用いて出力されるデータ信号を、画素ブロックＢＬ＿Ｃ１１から画素ブロックＢＬ＿Ｃ１８の順に、「データ信号Ｄ＿Ｃ１」、「データ信号Ｄ＿Ｃ２」、「データ信号Ｄ＿Ｃ３」、「データ信号Ｄ＿Ｃ４」、「データ信号Ｄ＿Ｃ５」、「データ信号Ｄ＿Ｃ６」、「データ信号Ｄ＿Ｃ７」、「データ信号Ｄ＿Ｃ８」と称する。また、各画素ブロック（ＢＬ＿Ｃ１〜ＢＬ＿Ｃ６，ＢＬ＿Ｃ１１〜ＢＬ＿Ｃ１８）の領域を合わせた領域を、「第２通信領域ＳＷ」と称する。
【０２６１】
図４３は、本通信時における、電子機器２００の表示面の画面構成を示した図である。図４３を参照して、電子機器２００の表示面は、表示用領域と通信用領域とを含む。
【０２６２】
当該通信用領域は、２行４列の８つのデータ信号用の画素ブロックを含む。これら、８つのデータ信号用の画素ブロックは、電子機器１００の８つのデータ信号用の画素ブロックと対向する位置に設定される。したがって、本通信時には、電子機器２００は、初期通信時に比べて、単位時間当たり８倍のデータを電子機器１００に送信可能となる。
【０２６３】
また、通信用領域は、５つの基準信号用の画素ブロック（ＢＬ＿Ｄ１〜ＢＬ＿Ｄ５）を含む。当該５つの基準信号用の画素ブロック（ＢＬ＿Ｄ１〜ＢＬ＿Ｄ５）のうち４つの基準信号用の画素ブロック（ＢＬ＿Ｄ１，ＢＬ＿Ｄ２，ＢＬ＿Ｄ３，ＢＬ＿Ｄ５）は、電子機器１００の４つの隅の基準信号用のデータブロックに対向する位置にそれぞれ設定される。残りの１つの基準信号用の画素ブロックＢＬ＿Ｄ４は、電子機器１００と同様、左下隅に配された基準信号用の画素ブロックＢＬ＿Ｄ５に隣接した位置に設定される。なお、以下では、基準信号用の画素ブロック（ＢＬ＿Ｄ１〜ＢＬ＿Ｄ５）を用いて出力される基準信号を、画素ブロックＢＬ＿Ｄ１から画素ブロックＢＬ＿Ｄ５の順に、「基準信号Ｓ＿Ｄ１」、「基準信号Ｓ＿Ｄ２」、「基準信号Ｓ＿Ｄ３」、「基準信号Ｓ＿Ｄ４」、「基準信号Ｓ＿Ｄ５」と称する。
【０２６４】
右下に配された基準信号用の画素ブロックＢＬ＿Ｄ３に隣接した画素ブロックＢＬ＿Ｄ６（２５ピクセル×２５ピクセルの領域）は、電子機器１００の画素ブロックＢＬ＿Ｃ４から出力される基準信号を受信する領域として用いられる。
【０２６５】
また、電子機器２００の通信可能領域のうち、８つのデータ信号用の画素ブロックと基準信号用の画素ブロック（ＢＬ＿Ｄ１〜ＢＬ＿Ｄ５）と画素ブロックＢＬ＿Ｄ６とを除いた領域が、表示用領域となる。
【０２６６】
なお、電子機器２００における画素ブロックの位置や大きさは、表示制御部５１が通信パラメータに基づいて決定する。
【０２６７】
図４４は、図４３に示した８つのデータ信号用の画素ブロックを示した図である。図４４を参照して、上の段の左から右へと、画素ブロックＢＬ＿Ｄ１１、画素ブロックＢＬ＿Ｄ１２、画素ブロックＢＬ＿Ｄ１３、画素ブロックＢＬ＿Ｄ１４が配される。また、下の段の左から右へと、画素ブロックＢＬ＿Ｄ１５、画素ブロックＢＬ＿Ｄ１６、画素ブロックＢＬ＿Ｄ１７、画素ブロックＢＬ＿Ｄ１８が配される。
【０２６８】
なお、以下では、画素ブロック（ＢＬ＿Ｄ１１〜ＢＬ＿Ｄ１８）を用いて出力されるデータ信号を、画素ブロックＢＬ＿Ｄ１１から画素ブロックＢＬ＿Ｄ１８の順に、「データ信号Ｄ＿Ｄ１」、「データ信号Ｄ＿Ｄ２」、「データ信号Ｄ＿Ｄ３」、「データ信号Ｄ＿Ｄ４」、「データ信号Ｄ＿Ｄ５」、「データ信号Ｄ＿Ｄ６」、「データ信号Ｄ＿Ｄ７」、「データ信号Ｄ＿Ｄ８」と称する。また、通信領域として用いられる各画素ブロック（ＢＬ＿Ｄ１〜ＢＬ＿Ｄ６，ＢＬ＿Ｄ１１〜ＢＬ＿Ｄ１８）の領域を合わせた領域を、「第２通信領域ＬＷ」と称する。
【０２６９】
第１設定部５４は、当該第２通信領域ＬＷを、電子機器１００の表示面と自機器２００の表示面とを対向させた際に当該第２通信領域ＬＷが電子機器１００の表示面のうちデータの送受信が可能な領域（つまり、横１５０ｍｍ×縦１００ｍｍの矩形領域）に含まれるように設定する。
【０２７０】
このように第２通信領域ＬＷを設定することにより、電子機器１００と電子機器２００とが互いに同じ広さの通信領域を用いて通信を行なうことができる。
【０２７１】
なお、少なくとも基準信号の配置（図３９〜４１，４３）については、電子機器１００と電子機器２００との間で予め取り決めを行なっておく。あるいは、電子機器１００と電子機器２００との間で、当該取り決めを定める信号を認証中に送受信する構成としてもよい。
【０２７２】
＜デバイス情報の詳細について＞
次に、電子機器１００が記憶している自機器１００のデバイス情報について説明する。図４５は、デバイス情報を示した図である。図４５を参照して、デバイス情報には、通信可能領域横サイズ（ｄＬＸ）と、通信可能領域の縦サイズ（ｄＬＹ）と、通信可能領域横解像度（ｄＷ）と、通信可能領域縦解像度（ｄＨ）と、リフレッシュレート（ｄＲＲ）と、カラー液晶フラグ（ｄＣＦＬＧ）と、受信可能領域希望横オフセット（ｒＲＯＸ）と、受信可能領域希望縦オフセット（ｒＲＯＹ）と、希望通信スピード（ｒＳＰＤ）と、機器識別ＩＤ（ＵＩＤ）と、表示面横サイズ（ｄＤＬＸ）と、表示面縦サイズ（ｄＤＬＹ）と、表示面横解像度（ｄＤＷ）と、表示面縦解像度（ｄＤＨ）と、通信可能領域横位置（ｄＰＸ）と、通信可能領域縦位置（ｄＰＹ）とが含まれている。
【０２７３】
なお、通信可能領域横サイズ（ｄＬＸ）と、通信可能領域縦サイズ（ｄＬＹ）と、通信可能領域横解像度（ｄＷ）と、通信可能領域縦解像度（ｄＨ）とは、図３５に基づいて説明したため、ここでの説明は繰り返さない。
【０２７４】
リフレッシュレート（ｄＲＲ）は、垂直同期周波数である。つまり、リフレッシュレート（ｄＲＲ）は、単位時間に何回画面を書き換えるかを表す指標である。カラー液晶フラグ（ｄＣＦＬＧ）は、電子機器１００の液晶パネル１４０が、カラー液晶か又はモノクロの液晶かを示したフラグである。
【０２７５】
受信領域希望横オフセット（ｒＲＯＸ）は、電子機器２００との通信を行うに当たり電子機器２００に対して希望する、電子機器１００の通信可能領域における横方向のオフセットの値である。つまり、受信領域希望横オフセット（ｒＲＯＸ）は、電子機器１００の通信可能領域内において、送信領域と受信領域との横方向のズレを規定する値である。
【０２７６】
受信領域希望縦オフセット（ｒＲＯＹ）は、電子機器２００との通信を行うに当たり電子機器２００に対して希望する、電子機器１００の通信可能領域における縦方向のオフセットの値である。つまり、受信領域希望縦オフセット（ｒＲＯＹ）は、電子機器１００の通信可能領域内において、送信領域と受信領域との縦方向のズレを規定する値である。
【０２７７】
このように受信領域希望横オフセット（ｒＲＯＸ）と受信領域希望縦オフセット（ｒＲＯＹ）とをそれぞれ指定することにより、電子機器１００は、電子機器２００と通信を行うにあたり、電子機器２００に対して、送信領域と受信領域とを完全に重ねたり、あるいは送信領域と受信領域とを別の場所にしたりするよう要求することができる。
【０２７８】
希望通信スピード（ｒＳＰＤ）は、電子機器１００が電子機器２００に対して希望する、電子機器２００によるデータ送信の際の送信速度である。
【０２７９】
機器識別ＩＤは、電子機器１００の機器識別ＩＤである。
表示面横サイズ（ｄＤＬＸ）は、液晶パネル１４０の表示面の横サイズである。表示面縦サイズ（ｄＤＬＹ）は、液晶パネル１４０の表示面の横のサイズである。表示面横解像度（ｄＤＷ）は、液晶パネル１４０の表示面の横方向の解像度である。表示面縦解像度（ｄＤＨ）は、液晶パネル１４０の表示面の縦方向の解像度である。通信可能領域横位置（ｄＰＸ）は、液晶パネル１４０の表示面のうち通信可能領域の横方向の位置（後述する図４８の頂点ＰＡのＸ座標）を示している。通信可能領域縦位置（ｄＰＹ）は、液晶パネル１４０の表示面のうち通信可能領域の縦方向の位置（後述する図４８の頂点ＰＡのＹ座標）を示している。
【０２８０】
なお、図４５は、表示面のサイズと通信可能領域のサイズ（ｄＬＸ，ｄＬＹ）とが一致している場合を示している。つまり、図４５は、電子機器１００が液晶パネル１４０の表示面全体を用いて双方向通信を行なうことが可能な構成である場合を示している。たとえば、液晶パネル１４０のうち一部の領域を用いてしか双方向通信を行なうことができない構成の場合には、通信可能領域のサイズ（ｄＬＸ，ｄＬＹ）が、表示面のサイズよりも小さな値となる。
【０２８１】
なお、電子機器１００の表示面のサイズを示した情報である、表示面横サイズ（ｄＤＬＸ）と表示面縦サイズ（ｄＤＬＹ）との情報を、「サイズ情報」と称する。また、通信可能領域横サイズ（ｄＬＸ）と通信可能領域縦サイズ（ｄＬＹ）との情報が、上記領域情報に該当する。また、本実施の形態では、通信可能領域横解像度（ｄＷ）と通信可能領域縦解像度（ｄＨ）と、通信可能領域横位置（ｄＰＸ）と、通信可能領域縦位置（ｄＰＹ）とによって示される矩形領域についての情報を、「通信可能領域を示した情報」と称する。
【０２８２】
＜通信パラメータの詳細について＞
次に、通信パラメータについて説明する。通信パラメータは、本通信時の通信条件を規定するパラメータである。本通信時においては、電子機器１００および電子機器２００は、当該通信パラメータに基づいて双方向通信を行う。つまり、通信パラメータは、基準信号用の画素ブロックおよびデータ信号用の画素ブロックの設定など、電子機器１００と電子機器２００とが初期通信とは異なる態様で双方向通信を行うために用いられる。
【０２８３】
図４６は、通信パラメータを示した図である。なお、図４６に示した通信パラメータの各設定項目についてのパラメータの値は、図４１および図４３に示した態様の本通信を行う場合の値である。
【０２８４】
図４６を参照して、通信パラメータは、通信領域横サイズ（ｃＡＷ）と、通信領域縦サイズ（ｃＡＨ）と、横方向データ数（ｃＡＸＮ）と、縦方向データ数（ｃＡＹＮ）と、受信領域横方向オフセット（ｒＸＯ）と、受信領域縦方向オフセット（ｒＹＯ）と、追従フラグ（ｆＬＷ）と、通信スピード（ｆＲＱ）と、信号領域横サイズ（ｓＡＷ）と、信号領域縦サイズ（ｓＡＨ）と、信号イメージオフセット（ｓＡＯ）と、信号イメージ横サイズ（ｓＣＷ）と、信号イメージ縦サイズ（ｓＣＨ）と、基準信号形状（ｓＣＢＳＦ）と、データ信号形状（ｓＣＤＳＦ）と、基準信号大きさ（ｓＣＢＳ）と、基準信号イメージ色（ｓＣＢＦＣ）と、データ信号イメージ色（ｓＣＤＦＣ）と、信号イメージ背景色（ｓＣＢＣ）と、送信領域横サイズ（ｃＳＡＷ）と、送信領域縦サイズ（ｃＳＡＨ）と、受信領域横サイズ（ｃＲＡＷ）と、受信領域縦サイズ（ｃＲＡＨ）と、送信領域の横位置（ｃＳＰＸ）と、送信領域の縦位置（ｃＳＰＹ）と、受信領域の横位置（ｃＲＰＸ）と、受信領域の縦位置（ｃＲＰＹ）とを含む。
【０２８５】
通信領域横サイズ（ｃＡＷ）は、本通信時に用いる通信領域の横のサイズである。通信領域縦サイズ（ｃＡＨ）は、本通信時に用いる通信領域の縦のサイズである。
【０２８６】
横方向データ数（ｃＡＸＮ）は、横方向における、データ信号の画素ブロックの数である。縦方向データ数（ｃＡＹＮ）は、縦方向における、データ信号の画素ブロックの数である。
【０２８７】
受信領域横方向オフセット（ｒＸＯ）は、通信可能領域における横方向のオフセットの値である。つまり、受信領域横方向オフセット（ｒＸＯ）は、通信可能領域内において、送信領域と受信領域との横方向のズレを規定する値である。
【０２８８】
受信領域縦方向オフセット（ｒＹＯ）は、通信可能領域における縦方向のオフセットの値である。つまり、受信領域縦方向オフセット（ｒＹＯ）は、通信可能領域内において、送信領域と受信領域との縦方向のズレを規定する値である。
【０２８９】
追従フラグ（ｆＬＷ）は、電子機器１００と、通信パラメータを決定する電子機器２００とのうちいずれの機器が追従動作を行うかを示したフラグである。ここで、追従動作とは、一方の電子機器（たとえば電子機器２００）の表示面に対する他方の電子機器（たとえば電子機器１００）の表示面が位置が変化した場合、当該位置の変更に対して、当該一方電子機器の基準信号用の画素ブロックとデータ信号用の画素ブロックとの位置を追従させる動作である。
【０２９０】
通信スピード（ｆＲＱ）は、電子機器１００と電子機器２００との間における通信スピードである。信号領域横サイズ（ｓＡＷ）は、１つの画素ブロックの横方向のサイズである。信号領域縦サイズ（ｓＡＨ）は、１つの画素ブロックの縦方向のサイズである。
【０２９１】
送信領域横サイズ（ｃＳＡＷ）は、通信領域のうちデータを送信する領域の横サイズである。送信領域縦サイズ（ｃＳＡＨ）は、通信領域のうちデータを送信する領域の縦サイズである。受信領域横サイズ（ｃＲＡＷ）は、通信領域のうちデータを受信する領域の横サイズである。受信領域縦サイズ（ｃＲＡＨ）は、通信領域のうちデータを受信する領域の縦サイズである。なお、本実施の形態の場合、通信領域横サイズとは、送信領域と受信領域とを設定可能な領域を示す。
【０２９２】
送信領域横位置（ｃＳＰＸ）は、通信領域内において送信領域の横方向の位置を特定するための情報である。送信領域縦位置（ｃＳＰＹ）は、通信領域内において送信領域の縦方向の位置を特定するための情報である。受信領域横位置（ｃＲＰＸ）は、通信領域内において受信領域の横方向の位置を特定するための情報である。受信領域縦位置（ｃＲＰＹ）は、通信領域内において受信領域の縦方向の位置を特定するための情報である。このように、電子機器１００，２００は、通信領域内において、送信領域および受信領域をそれぞれ任意の位置に配置できるものとする。
【０２９３】
その他の項目（ｓＡＯ，ｓＣＷ，ｓＣＨ，ｓＣＢＳＦ，ｓＣＤＳＦ，ｓＣＢＳ，ｓＣＢＦＣ，ｓＣＤＦＣ，ｓＣＢＣ）については、後述する（図４８）。
【０２９４】
＜通信領域の仕様（初期通信時）＞
次に、初期通信時における通信領域の仕様について説明する。図４７は、初期通信における電子機器１００の通信領域の仕様を説明するための図である。具体的には、図４７は、図３９および図４０に示した状態における、基準信号用の画素ブロックとデータ信号用の画素ブロックとの詳細を示した図である。
【０２９５】
図４７を参照して、画素ブロックＢＬ＿Ａ１は、内部の領域（１５ピクセル×１５ピクセルの領域）を用いて、基準信号Ｓ＿Ａ１を出力する。画素ブロックＢＬ＿Ａ２は、内部の領域（１５ピクセル×１５ピクセルの領域）を用いて、基準信号Ｓ＿Ａ２を出力する。画素ブロックＢＬ＿Ａ３は、内部の領域（１５ピクセル×１５ピクセルの領域）を用いて、データ信号Ｄ＿Ａ１を出力する。
【０２９６】
また、本実施の形態では、基準信号とデータ信号とを、互いに１０ピクセル分の隙間を介して出力させる構成としている。このように隙間を設ける理由は、受信側の電子機器が互いに隣り合う２つの信号を区別しやすくするためである。
【０２９７】
なお、初期通信における電子機器２００の通信領域の仕様も、初期通信における電子機器１００の仕様と同様であるため、ここでは説明を繰り返さない。
【０２９８】
＜通信領域の仕様（本通信時）＞
次に、本通信時における通信領域の仕様について説明する。図４８は、本通信における電子機器１００の通信領域の仕様を説明するための図である。具体的には、図４８は、図４１および図４３に示した状態における、基準信号用の画素ブロック（ＢＬ＿Ｃ１〜ＢＬ＿Ｃ５）とデータ信号用の画素ブロック（ＢＬ＿Ｃ１１〜ＢＬ＿Ｃ１８）との詳細を示した図である。
【０２９９】
図４８を参照して、画素ブロックＢＬ＿Ｃ１は、内部の領域（１５ピクセル×１５ピクセルの領域）を用いて、基準信号Ｓ＿Ｃ１を出力する。また、電子機器１００は、他の基準信号（Ｓ＿Ｃ２〜Ｓ＿Ｃ５）についても、基準信号Ｓ＿Ｃ１と同じ態様で出力する。
【０３００】
ここで、画素ブロック（ＢＬ＿Ｃ１〜ＢＬ＿Ｃ５）の仕様の詳細について、画素ブロックＢＬ＿Ｃ１を例に挙げて説明する。画素ブロックＢＬ＿Ｃ１は、図４６に示した通信パラメータにおける、通信領域の横サイズ（ｃＡＷ）と、通信領域の縦サイズ（ｃＡＨ）と、信号イメージオフセット（ｓＡＯ）と、信号イメージ横サイズ（ｓＣＷ）と、信号イメージ縦サイズ（ｓＣＨ）と、基準信号形状（ｓＣＢＳＦ）と、基準信号大きさ（ｓＣＢＳ）と、基準信号イメージ色（ｓＣＢＦＣ）と、信号イメージ背景色（ｓＣＢＣ）とにより規定される。
【０３０１】
画素ブロックＢＬ＿Ｃ１の外周と基準信号Ｓ＿Ｃ１の外周との距離は、信号イメージオフセット（ｓＡＯ）で規定される。基準信号Ｓ＿Ｃ１の横のサイズは、信号イメージ横サイズ（ｓＣＷ）で規定される。基準信号Ｓ＿Ｃ１の縦のサイズは、信号イメージ縦サイズ（ｓＣＨ）で規定される。基準信号Ｓ＿Ｃ１の形状は、基準信号形状（ｓＣＢＳＦ）で規定される。基準信号Ｓ＿Ｃ１の大きさは、基準信号大きさ（ｓＣＢＳ）で規定される。基準信号Ｓ＿Ｃ１の色は、基準信号イメージ色（ｓＣＢＦＣ）で規定される。基準信号Ｓ＿Ｃ１の背景領域（すなわちオフセット領域）の色は、信号イメージ背景色（ｓＣＢＣ）で規定される。
【０３０２】
ここで、基準信号大きさ（ｓＣＢＳ）は、基準信号を表示する領域（詳しくは、信号イメージの縦および横）の大きさを示す。たとえば、標準の場合、当該領域は、１５ピクセル×１５ピクセルとなる。
【０３０３】
なお、画素ブロック（ＢＬ＿Ｃ２〜ＢＬ＿Ｃ５）については画素ブロックＢＬ＿Ｃ１と同じであるため、その説明は繰り返さない。
【０３０４】
次に、画素ブロック（ＢＬ＿Ｃ１１〜ＢＬ＿Ｃ１８）の仕様の詳細について、画素ブロックＢＬ＿Ｃ１１を例に挙げて説明する。画素ブロックＢＬ＿Ｃ１１は、図４６に示した通信パラメータにおける、通信領域の横サイズ（ｃＡＷ）と、通信領域の縦サイズ（ｃＡＨ）と、信号イメージオフセット（ｓＡＯ）と、信号イメージ横サイズ（ｓＣＷ）と、信号イメージ縦サイズ（ｓＣＨ）と、データ信号形状（ｓＣＤＳＦ）と、基準信号大きさ（ｓＣＢＳ）と、データ信号イメージ色（ｓＣＤＦＣ）と、信号イメージ背景色（ｓＣＢＣ）とにより規定される。
【０３０５】
画素ブロックＢＬ＿Ｃ１１の外周とデータ信号Ｄ＿Ｃ１の外周との距離は、信号イメージオフセット（ｓＡＯ）で規定される。データ信号Ｄ＿Ｃ１の横のサイズは、信号イメージ横サイズ（ｓＣＷ）で規定される。データ信号Ｄ＿Ｃ１の縦のサイズは、信号イメージ縦サイズ（ｓＣＨ）で規定される。データ信号Ｄ＿Ｃ１の形状は、データ信号形状（ｓＣＤＳＦ）で規定される。データ信号Ｄ＿Ｃ１の色は、データ信号イメージ色（ｓＣＤＦＣ）で規定される。データ信号Ｄ＿Ｃ１の背景領域（すなわちオフセット領域）の色は、信号イメージ背景色（ｓＣＢＣ）で規定される。
【０３０６】
画素ブロック（ＢＬ＿Ｃ１２〜ＢＬ＿Ｃ１８）については画素ブロックＢＬ＿Ｃ１１と同じであるため、ここでの説明は繰り返さない。
【０３０７】
また、本通信における電子機器２００の通信領域の仕様も、本通信における電子機器１００の仕様と同様であるため、ここでは説明を繰り返さない。
【０３０８】
＜追従について＞
次に、初期通信や本通信において、電子機器２００の液晶パネル２４０の表示面に対し、電子機器１００の液晶パネル１４０の表示面の位置が変化した場合の電子機器２００における処理について説明する。
【０３０９】
図４９は、認証を行うにあたり、電子機器１００の液晶パネル１４０の表示面と電子機器２００の液晶パネル２４０の表示面とを対向させた状態を示した図である。なお、図４９においては、電子機器１００については背面が示されている。
【０３１０】
図５０は、図４９に示した状態で本通信が行われている場合の、電子機器２００の液晶パネル２４０の表示面に表示される内容を示した図である。
【０３１１】
図５０を参照して、液晶パネル２４０の表示面には、基準信号とデータ信号とが表示されるとともに、予め指定されたメッセージの表示（同図においては、認証中であることを示す表示）がなされる。この際、表示制御部５１は、上述した第２領域に上記予め指定されたメッセージを表示させる。
【０３１２】
このように、電子機器１００の表示面と対向している電子機器２００の表示面の領域（第１領域Ｌ１）とは異なる領域（第２領域Ｌ２）にメッセージを表示することにより、ユーザは、認証が行われていることを確認することができる。
【０３１３】
また、表示制御部５１は、上記第２領域Ｌ２のうち上記第１領域Ｌ１の境界付近を除いた位置に上記メッセージを表示することが好ましい。これは、電子機器１００の表示面の周囲には表示面を支持する縁など筐体部分が存在するので、第１領域の境界付近にメッセージを表示すると、ユーザがメッセージの一部を確認できなくなるおそれがあるためである。
【０３１４】
ここで、上記位置情報について説明する。本実施の形態においては、位置情報は、図４８に示した各頂点（ＰＡ〜ＰＤ）の座標に対応した、電子機器２００の表示面における座標である。具体的には、図５０に示した各頂点（ＰＡ’〜ＰＤ’）の座標である。
【０３１５】
図５１は、電子機器１００の液晶パネル１４０の表示面の位置が認証中に変化した場合を示した図である。図５１では、電子機器１００が左方向に移動している。
【０３１６】
図５２は、図５１に示すように電子機器１００が移動した場合における、電子機器２００の液晶パネル２４０の表示面の表示内容を示した図である。図５２を参照して、表示制御部５１は、当該位置が変化した後の第１領域Ｌ１を用いて電子機器１００との通信を行う。つまり、表示制御部５１は、基準信号およびデータ信号を出力する画素ブロックの位置を、電子機器１００の位置の移動に追従して変化させる制御を行う。また、表示制御部５１は、上記メッセージを当該位置が変化した後の第１領域Ｌ１に関する第２領域Ｌ２に表示させる。なお、当該第１領域Ｌ１および第２領域Ｌ２の位置は、検知部５３Ａによる検知結果により決まる。
【０３１７】
このような処理を行なうことにより、、電子機器２００は、認証中に電子機器１００の位置が変化した場合であっても、ユーザが視認可能な位置に上記メッセージを表示し続けることが可能となる。なお、追従のタイミングについては後述する（図６１）。
【０３１８】
また、当該追従については、初期通信時においても適用可能である。
＜受信信号の解析について＞
次に、電子機器２００が電子機器１００から受信した信号について、電子機器２００における解析処理について説明する。
【０３１９】
図５３は、データ送信時における電子機器１００の表示面を示した図である。詳しくは、図５３は、電子機器１００が、データ信号「０１１１１１０１」を送信している状態を示した図である。
【０３２０】
図５４は、電子機器１００と電子機器２００とが対向した状態において、電子機器１００が出力した図５３に示す基準信号およびデータ信号を電子機器２００が受信した状態を模式的に示した図である。図５４を参照して、電子機器２００の受信部５２は、受信した信号に基づき、受信した信号全体の頂点座標を検出する。つまり、受信部５２は、図４８の各頂点（ＰＡ，ＰＢ，ＰＣ，ＰＤ）に対応する、電子機器２００の液晶パネル２４０での座標を検出する。
【０３２１】
また、受信部５２は、検出した各頂点の座標に基づき、当該各頂点座標で特定される矩形の傾きを補正する。具体的には、受信部５２は、当該矩形の傾きを０とする。さらに、受信部５２は、上記傾きを補正した後、第１領域からデータ信号の領域（つまり、電子機器１００の画素ブロック（ＢＬ＿Ｃ１１〜ＢＬ＿Ｃ１８）に対応する領域）を抽出する。図５５は、抽出したデータ信号の領域を示した図である。
【０３２２】
その後、受信部５２は、受信した５つの基準信号（Ｓ＿Ｃ１〜Ｓ＿Ｃ５）の位置関係に基づき、受信したデータ信号の配列を補正する。図５６は、データ信号の配列を補正した後の図である。図５６を参照して、受信部５２は、受信したデータ信号の並びが、上段の左から順に、データ信号Ｄ＿Ｃ１、データ信号Ｄ＿Ｃ２、データ信号Ｄ＿Ｃ３、データ信号Ｄ＿Ｃ４となり、下段の左から順に、データ信号Ｄ＿Ｃ５、データ信号Ｄ＿Ｃ６、データ信号Ｄ＿Ｃ７、データ信号Ｄ＿Ｃ８となるように補正をする。
【０３２３】
そして、受信部５２は、受信したデータ信号のパターン解析を行なう。図５７は、受信したデータ信号をパターン解析した結果を示した図である。この際、受信部５２は、解析結果の出力として、予め定められた順に、「０」または「１」を順に出力する。この場合、電子機器２００では、受信データとして「０１１１１１０１」を得ることができる。ここで、予め定められた順とは、本実施の形態では、図５７の上段の左から右へ、その後下段の左から右へといった順である。
【０３２４】
なお、電子機器２００が出力した信号を電子機器１００が受信した場合における、当該受信した信号の解析についても、電子機器２００の場合と同様であるため、ここでは説明を繰り返さない。
【０３２５】
＜電子機器１００のフローチャート＞
次に、認証時の電子機器１００の処理フローについて説明する。図５８は、認証時の電子機器１００の処理の前半のフローを示したフローチャートである。図５９は、認証時の電子機器１００の処理の後半のフローを示したフローチャートである。
【０３２６】
図５８を参照して、制御部１０は電子機器１００のシステムを初期化する（Ｓ１１）。ステップＳ１１の後は、表示制御部１１は、液晶パネル１４０に「認証します」を表示させる（Ｓ１２）。ステップＳ１２の後は、表示制御部１１が、初期通信時における基準信号とデータ信号との表示位置を決定する（Ｓ１３）。ステップＳ１３の後は、表示制御部１１が、通信要求信号を生成する（Ｓ１４）。なお、当該通信要求信号の生成手順は、以下のとおりである。まず、送信用バッファ（ＳＵＢＦ）を０として、当該バッファの内容を消去する。次に、図３７のデータ領域ＤＡ２１に「００００」を設定する。さらに、パリティビットを演算し、当該演算した値をパリティビットＤＡ２３に設定する。
【０３２７】
ステップＳ１４の後は、表示制御部１１は、液晶パネル１４０を介して、通信要求信号を電子機器２００に送信する（Ｓ１５）。ステップＳ１５の後は、受信部１２は、電子機器２００からの信号を受信する（Ｓ１６）。なお、ＲＥＡＤＹ信号の受信にｎ回失敗したら、制御部１０は、後述するステップＳ２６以降の処理を行なってもよい。
【０３２８】
ステップＳ１６の後は、受信部１２は、電子機器２００からＲＥＡＤＹ信号を受信したか否かを判断する（Ｓ１７）。ステップＳ１７においてＲＥＡＤＹ信号を受信したと判断された場合（Ｙｅｓの場合）、表示制御部１１はデバイス情報を含んだ送信データを生成する（Ｓ１８）。一方、ステップＳ１７においてＲＥＡＤＹ信号を受信しなかったと判断された場合（Ｎｏの場合）、制御部１０はステップＳ１５に戻る。たとえば、通信途中に電子機器１００の表示面と電子機器２００の表示面とが離れた場合には、ステップＳ１５に戻ることになる。なお、上記ＲＥＡＤＹ信号の生成手順は、以下のとおりである。まず、表示制御部１１は、送信用バッファ（ＳＵＢＦ）を０として、当該バッファの内容を消去する。次に、表示制御部１１は、データ領域ＤＡ２１に「００１０」を設定する。さらに、表示制御部１１は、データ領域ＤＡ２４に、図４５に示すデバイス情報を設定する。そして、表示制御部１１は、パリティビットを演算し、当該演算した値をパリティビットＤＡ２３に設定する。
【０３２９】
ステップＳ１８の後は、表示制御部１１は、デバイス情報を含んだデータを電子機器２００に送信する（Ｓ１９）。ステップＳ１９の後は、電子機器２００からの信号を受信する（Ｓ２０）。ステップＳ２０の後は、受信部１２は、電子機器２００から通信パラメータを受信したか否かを判断する（Ｓ２１）。ステップＳ２１において通信パラメータを受信したと判断された場合（Ｙｅｓの場合）、表示制御部１１は、本通信時における基準信号とデータ信号との表示位置を決定する（Ｓ２２）。一方、ステップＳ２１において通信パラメータを受信しなかったと判断された場合（Ｎｏの場合）、図５９を参照して、表示制御部１１は、液晶パネル１４０に通信エラーを表示させる（Ｓ３６）。なお、ステップＳ２２においては、（Ｘ，Ｙ）＝（０，０）とすればよい。
【０３３０】
ステップＳ１１において受信部１２が通信パラメータを受信した後は、本通信が行われる。つまり、電子機器１００と電子機器２００との間で、８ビットを用いたデータの送受信が行なわれる。
【０３３１】
ステップＳ２２の後は、表示制御部１１は認証要求信号を生成する（Ｓ２３）。なお、当該認証要求信号の生成は、以下のとおりである。まず、送信用バッファ（ＳＵＢＦ）を０として、当該バッファの内容を消去する。次に、データ領域ＤＡ２１に「０１００」を設定する。さらに、パリティビットを演算し、当該演算した値をパリティビットＤＡ２３に設定する。
【０３３２】
ステップＳ２３の後は、表示制御部１１は、認証要求信号を電子機器２００に送信する（Ｓ２４）。ステップＳ２４の後は、電子機器２００からの信号を受信する（Ｓ２５）。ステップＳ２５の後は、図５９を参照して、受信部１２は、電子機器２００からの信号の受信に関し、タイムアウトとなったか否かを判断する（Ｓ２６）。つまり、受信部１２は、ステップＳ２６において、予め定めた時間以内に電子機器２００から信号を受信できなかったか否かを判断する。ステップＳ２６においてタイムアウトと判断された場合（Ｙｅｓの場合）には、表示制御部１１は、液晶パネル１４０に通信エラーを表示させる（Ｓ３６）。一方、ステップＳ２６において処理時間がタイムアウトでないと判断された場合（Ｎｏの場合）には、受信部１２は、認証準備完了信号を電子機器２００から受信したか否かを判断する（Ｓ２７）。
【０３３３】
ステップＳ２７において認証準備完了信号を受信したと判断された場合（Ｙｅｓの場合）、表示制御部１１は、認証情報を含んだデータを生成する（Ｓ２８）。なお、当該データの生成手順は、以下のとおりである。まず、表示制御部１１は、送信用バッファ（ＳＵＢＦ）を０として、当該バッファの内容を消去する。次に、表示制御部１１は、データ領域ＤＡ２１に「０１１０」を設定する。さらに、表示制御部１１は、データ領域ＤＡ２４に、認証に関する情報を設定する。そして、表示制御部１１は、パリティビットを演算し、当該演算した値をパリティビットＤＡ２３に設定する。一方、ステップＳ２７において認証準備完了信号を受信したと判断されなかった場合（Ｎｏの場合）には、表示制御部１１、液晶パネル１４０に通信エラーを表示させる（Ｓ３６）。
【０３３４】
ステップＳ２８の後は、表示制御部１１は、認証情報を含んだデータを電子機器２００に送信する（Ｓ２９）。ステップＳ２９の後は、受信部１２は、電子機器２００からの信号を受信する（Ｓ３０）。ステップＳ３０の後は、受信部１２は、電子機器２００からの信号の受信に関し、タイムアウトとなったか否かを判断する（Ｓ３１）。ステップＳ３１において処理時間がタイムアウトしていると判断された場合（Ｙｅｓの場合）には、受信部１２は、表示制御部１１に通信エラーを表示させる（Ｓ３６）。一方、ステップＳ３１においてタイムアウトしていないと判断された場合（Ｎｏの場合）には、受信部１２は、認証に失敗したことを示す信号を受信したか否かを判断する（Ｓ３２）。
【０３３５】
ステップＳ３２において認証に失敗したことを示す信号を受信したと判断された場合（Ｙｅｓの場合）、表示制御部１１は、液晶パネル１４０に認証に失敗した旨を表示させる（Ｓ３３）。一方、ステップＳ３２において認証に失敗したことを示す信号を受信しなかったと判断された場合（Ｎｏの場合）、受信部１２は、認証に成功したことを示す信号を受信したか否かを判断する（Ｓ３４）。
【０３３６】
ステップＳ３４において認証に成功したことを示す信号を受信したと判断された場合（Ｙｅｓの場合）、表示制御部１１は、液晶パネル１４０に認証に成功した旨を表示させる（Ｓ３５）。一方、ステップＳ３４において認証に成功したことを示す信号を受信したと判断されなかった場合（Ｎｏの場合）、表示制御部１１は、液晶パネル１４０に通信エラーを表示させる（Ｓ３６）。
【０３３７】
ステップＳ３３、ステップＳ３５、およびステップＳ３６の後は、制御部１０は、予め定められた時間（たとえば、１分間）、電源をＯＦＦすることなく電子機器１００を待機状態とする（Ｓ３７）。ステップＳ３７の後は、制御部１０は電源をＯＦＦする（Ｓ３８）。以上により、一連の処理が終了する。
【０３３８】
＜電子機器２００のフローチャート＞
次に、認証時の電子機器２００の処理フローについて説明する。図６０は、認証時の電子機器２００の処理の前半のフローを示したフローチャートである。図６１は、認証時の電子機器２００の処理の後半のフローを示したフローチャートである。
【０３３９】
図６０を参照して、制御部５０は電子機器２００のシステムを初期化する（Ｓ１０１）。ステップＳ１０１の後は、表示制御部５１は、液晶パネル２４０に「認証を行います」といった表示をさせる（Ｓ１０２）。ステップＳ１０２の後は、受信部５２は、電子機器１００からの信号を受信する（Ｓ１０３）。
【０３４０】
ステップＳ１０３の後は、受信部５２は、電子機器１００からの信号の受信に関し、タイムアウトとなったか否かを判断する（Ｓ１０４）。ステップＳ１０４において処理時間がタイムアウトしていると判断された場合（Ｙｅｓの場合）、ステップＳ１０３に戻る。一方、ステップＳ１０４においてタイムアウトしていないと判断された場合（Ｎｏの場合）、受信部５２は、通信要求信号を電子機器１００から受信したか否かを判断する（Ｓ１０５）。
【０３４１】
ステップＳ１０５において通信要求信号を受信したと判断された場合（Ｙｅｓの場合）、初期通信時における基準信号とデータ信号との表示位置を決定する（Ｓ１０６）。なお、当該表示位置は、通信要求信号を受信した位置から決定する。ステップＳ１０５において通信要求信号を受信したと判断されなかった場合（Ｎｏの場合）、ステップＳ１０３に戻る。
【０３４２】
ステップＳ１０６の後は、表示制御部５１は、ＲＥＡＤＹ信号を生成する（Ｓ１０７）。なお、当該ＲＥＡＤＹ信号の生成手順は、以下のとおりである。まず、表示制御部５１は、送信用バッファ（ＳＵＢＦ）を０として、当該バッファの内容を消去する。次に、表示制御部５１は、データ領域ＤＡ２１に「０００１」を設定する。さらに、表示制御部５１は、パリティビットを演算し、当該演算した値をパリティビットＤＡ２３に設定する。
【０３４３】
ステップＳ１０７の後は、表示制御部５１は、液晶パネル２４０を介して、ＲＥＡＤＹ信号を電子機器１００に送信する（Ｓ１０８）。ステップＳ１０８の後は、受信部５２は、電子機器１００からの信号を受信する（Ｓ１０９）。なお、デバイス情報の受信にｎ回失敗したら、後述するステップＳ１３７以降の処理を行なってもよい。
【０３４４】
ステップＳ１０９の後は、受信部５２は、タイムアウトとなったか否かを判断する（Ｓ１１０）。ステップＳ１１０においてタイムアウトとなったと判断された場合（Ｙｅｓの場合）、再度、ステップＳ１０３に戻る。一方、ステップＳ１１０においてタイムアウトしていないと判断された場合（Ｎｏの場合）、受信部５２は、電子機器１００からデバイス情報を受信したか否かを判断する（Ｓ１１１）。
【０３４５】
ステップＳ１１１においてデバイス情報を含んだデータ受信したと判断された場合（Ｙｅｓの場合）、表示制御部５１は、通信パラメータを含んだデータを生成する（Ｓ１１２）。一方、ステップＳ１１１においてデバイス情報を含んだデータを受信したと判断されなかった場合（Ｎｏの場合）、ステップＳ１０９に戻る。なお、当該通信パラメータを含んだデータの生成手順は、以下のとおりである。まず、表示制御部５１は、送信用バッファ（ＳＵＢＦ）を０として、当該バッファの内容を消去する。次に、表示制御部５１は、データ領域ＤＡ２１に「００１１」を設定する。さらに、表示制御部５１は、データ領域ＤＡ２４に、図４６に示した通信パラメータを設定する。そして、表示制御部５１は、パリティビットを演算し、当該演算した値をパリティビットＤＡ２３に設定する。
【０３４６】
ステップＳ１１２の後は、表示制御部５１は、通信パラメータを含んだデータを送信する（Ｓ１１３）。なお、ステップＳ１１３において通信パラメータを送信した後は、本通信が行われる。つまり、電子機器１００と電子機器２００との間で、８ビットを用いたデータの送受信が行なわれる。ステップＳ１１３の後は、電子機器１００からの信号を受信する（Ｓ１１４）。
【０３４７】
ステップＳ１１４の後は、受信部５２は、タイムアウトとなったか否かを判断する（Ｓ１１５）。ステップＳ１１５においてタイムアウトとなったと判断された場合（Ｙｅｓの場合）、受信部５２は、電子機器１００の機器識別ＩＤを記憶装置９９に記憶する（Ｓ１３４）。一方、ステップＳ１１５においてタイムアウトしていないと判断された場合（Ｎｏの場合）、受信部５２は、認証要求信号を受信したか否かを判断する（Ｓ１１６）。
【０３４８】
ステップＳ１１６において認証要求信号を受信したと判断されなかった場合（Ｎｏの場合）、ステップＳ１１４に戻る。一方、ステップＳ１１６において認証要求信号を受信したと判断された場合（Ｙｅｓの場合）、図６１を参照して、表示制御部５１は、本通信時における基準信号とデータ信号との表示位置を決定する（Ｓ１１７）。なお、当該表示位置は、認証要求信号を受信した位置から決定する。ステップＳ１１７の後は、表示制御部５１は、液晶パネル２４０に認証中であることを示す表示をさせる（Ｓ１１８）。なお、表示制御部５１は、認証中であることを示す表示を上記第２領域Ｌ２に行なう。
【０３４９】
ステップＳ１１８の後は、表示制御部５１は、認証準備完了信号を生成する（Ｓ１１９）。なお、当該認証準備間慮信号の生成手順は、以下のとおりである。まず、送信用バッファ（ＳＵＢＦ）を０として、当該バッファの内容を消去する。次に、データ領域ＤＡ２１に「０１０１」を設定する。さらに、パリティビットを演算し、当該演算した値をパリティビットＤＡ２３に設定する。
【０３５０】
ステップＳ１１９の後は、表示制御部５１は、生成した認証準備完了信号を電子機器１００に送信する（Ｓ１２０）。ステップＳ１２０の後は、電子機器２００は、電子機器１００からの信号を受信する（Ｓ１２１）。ステップＳ１２１の後は、受信部５２は、タイムアウトとなったか否かを判断する（Ｓ１２２）。ステップＳ１２２においてタイムアウトになったと判断された場合（Ｙｅｓの場合）、受信部５２は、電子機器１００の機器識別ＩＤを記憶装置９９に記憶する（Ｓ１３４）。一方、ステップＳ１２２においてタイムアウトしていないと判断された場合（Ｎｏの場合）、受信部５２は、認証情報を含んだデータを受信したか否かを判断する（Ｓ１２３）。
【０３５１】
ステップＳ１２３において認証情報を含んだデータを受信したと判断された場合（Ｙｅｓの場合）、認証部５５は認証処理を実行する（Ｓ１２４）。一方、ステップＳ１２３において認証情報を含んだデータを受信していないと判断された場合（Ｎｏの場合）、受信部５２は、電子機器１００の機器識別ＩＤを記憶装置９９に記憶する（Ｓ１３４）。ステップＳ１２４の後は、第２設定部５７は、基準信号とデータ信号との表示位置の再設定を行なう（Ｓ１２５）。なお、、第２設定部５７は、認証情報を含んだデータの受信位置と、送信領域横位置（ｃＳＰＸ）と、送信領域縦位置（ｃＳＰＹ）と、受信領域横位置（ｃＲＰＸ）と、受信領域縦位置（ｃＲＰＹ）との位置関係を基に、当該表示位置を決定する。当該決定により、電子機器２００では、認証中に電子機器１００の位置が変化した場合であっても、上記メッセージをユーザが視認可能な位置に表示し続けることが可能となる。また、当該決定により、電子機器１００，２００は、互いの送信領域のズレにより生じる通信エラーを防ぐことができる。
【０３５２】
ステップＳ１２５の後は、表示制御部５１は、認証部５５による認証が成功したか否かを判断する（Ｓ１２６）。ステップＳ１２６において認証が成功したと判断された場合（Ｙｅｓの場合）、表示制御部５１は、認証に成功したことを示す信号を生成する（Ｓ１２７）。なお、当該信号の生成手順は、以下のとおりである。まず、表示制御部５１は、送信用バッファ（ＳＵＢＦ）を０として、当該バッファの内容を消去する。次に、表示制御部５１は、データ領域ＤＡ２１に「０１１１」を設定する。さらに、表示制御部５１は、パリティビットを演算し、当該演算した値をパリティビットＤＡ２３に設定する。
【０３５３】
ステップＳ１２７の後は、表示制御部５１は、認証に成功したことを示す信号を電子機器１００に送信する（Ｓ１２８）。ステップＳ１２８の後は、表示制御部５１は、認証に成功したことを示す表示を自機器２００の液晶パネル２４０の表示面に表示する（Ｓ１２９）。ステップＳ１２９の後は、表示制御部５１は、記憶装置９９に記憶した機器識別ＩＤを消去する（Ｓ１３０）。
【０３５４】
一方、ステップＳ１２６において認証が成功したと判断されなかった場合（Ｎｏの場合）、表示制御部５１は、認証に失敗したことを示す信号を生成する（Ｓ１３１）。なお、当該信号の生成手順は、以下のとおりである。まず、表示制御部５１は、送信用バッファ（ＳＵＢＦ）を０として、当該バッファの内容を消去する。次に、表示制御部５１は、データ領域ＤＡ２１に「１０００」を設定する。さらに、表示制御部５１は、パリティビットを演算し、当該演算した値をパリティビットＤＡ２３に設定する。
【０３５５】
ステップＳ１３１の後は、表示制御部５１は、認証に失敗したことを示す信号を電子機器１００に送信する（Ｓ１３２）。ステップＳ１３２の後は、表示制御部５１は、認証に失敗したことを示す表示を自機器２００の液晶パネル２４０の表示面に表示する（Ｓ１３３）。ステップＳ１３３の後は、表示制御部５１は、記憶装置９９に記憶した機器識別ＩＤを消去する（Ｓ１３０）。
【０３５６】
ステップＳ１３４の後は、表示制御部５１は、エラーを示すデータを生成する（Ｓ１３５）。なお、当該データの生成手順は、以下のとおりである。まず、表示制御部５１は、送信用バッファ（ＳＵＢＦ）を０として、当該バッファの内容を消去する。次に、表示制御部５１は、データ領域ＤＡ２１に「１１１１」を設定する。さらに、表示制御部５１は、パリティビットを演算し、当該演算した値をパリティビットＤＡ２３に設定する。
【０３５７】
ステップＳ１３５の後は、表示制御部５１は、エラーを示すデータを電子機器１００に送信する（Ｓ１３６）。ステップＳ１３６の後は、液晶パネル２４０に表示制御部５１は、通信エラーを示す表示を表示させる（Ｓ１３７）。
【０３５８】
ステップＳ１３０およびステップＳ１３７の後は、電子機器２００は、予め定めた時間（たとえば１５秒）、電源をＯＦＦすることなく電子機器２００を待機状態とする（Ｓ１３８）。ステップＳ１３８の後は、制御部５０は、自機器２００の電源がＯＦＦか否かを判断する（Ｓ１３９）。ステップＳ１３９において電源ＯＦＦとなれば、一連の処理を終了する。一方、ステップＳ１３９において電源ＯＦＦと判断されなかった場合、ステップＳ１０２に戻る。
【０３５９】
なお、ステップＳ１３０では、制御部５０は、記憶した機器識別ＩＤを消去する。この場合、記憶装置９９において機器識別ＩＤに割り当てられたメモリ領域の上限まで、機器識別ＩＤを記憶しておき、新たに機器識別ＩＤを当該メモリ領域に記憶させる必要がある場合には、最初に記憶された機器識別ＩＤを消去する構成としてもよい。あるいは、電子機器１００の認証に関し、認証に成功した回数と認証に失敗した回数との差が閾値を超えた場合にだけ、電子機器１００の機器識別ＩＤを消去する構成としてもよい。
【０３６０】
＜初期通信時のフローチャート＞
次に、初期通信時における電子機器１００のデータの送信フローについて説明する。図
６２は、初期通信時における電子機器１００のデータの送信フローを示したフローチャートである。
【０３６１】
図６２を参照して、表示制御部１１は、基準信号（Ｓ＿Ａ１，Ｓ＿Ａ２）をハイレベル「１」とする（Ｓ２０１）。ステップＳ２０１の後は、表示制御部１１は、データ信号Ｄ＿Ａ１をハイレベル「１」とする（Ｓ２０２）。ステップＳ２０２の後は、表示制御部１１は、電子機器２００に送信する画像をＶＲＡＭ１８１２に描画する（Ｓ２０３）。ステップＳ２０３の後は、表示制御部１１は、垂直同期信号（ＶＳＹＮＣ）の割り込みを待つ（Ｓ２０４）。ここまでのステップが、送信開始のための同期信号をＶＲＡＭ１８１２に描画するステップである。以降のステップは、１２８ビットのデータをＶＲＡＭ１８１２に描画するためのステップである。なお、以下では、iを１以上１２８以下の自然数とする。
【０３６２】
表示制御部１１は、送信済みビット数を表す変数ＳＡ＿ｉの値を０に設定する（Ｓ２０５）。ステップＳ２０５の後は、表示制御部１１は、基準信号（Ｓ＿Ａ１，Ｓ＿Ａ２）の出力レベルを、変数ＳＡ＿ｉを２で除した際に得られる余りに応じた値とする（Ｓ２０６）。変数ＳＡ＿ｉの値が０または偶数であれば、当該余りは０となるため、表示制御部１１は基準信号（Ｓ＿Ａ１，Ｓ＿Ａ２）をローレベル「０」とする。一方、変数ＳＡ＿ｉの値が奇数であれば、当該余りは１となるため、表示制御部１１は基準信号（Ｓ＿Ａ１，Ｓ＿Ａ２）をハイレベル「１」とする。
【０３６３】
ステップＳ２０６の後は、表示制御部１１は、１２８ビットのデータのうちの１ビットのデータを順に記憶装置４９から読み出す（Ｓ２０７）。ステップＳ２０７の後は、表示制御部１１は、電子機器２００に送信する画像をＶＲＡＭ１８１２に描画する（Ｓ２０８）。ステップＳ２０８の後は、変数ＳＡ＿ｉに１を加える（Ｓ２０９）。ステップＳ２０９の後は、表示制御部１１は、変数ＳＡ＿ｉが１２８よりも小さいか否かを判断する（Ｓ２１０）。ステップＳ２１０において小さいと判断された場合（Ｙｅｓの場合）、ステップＳ２０６に戻る。一方、ステップＳ２１０において小さいと判断されなかった場合（Ｎｏの場合）、処理を終了する。
【０３６４】
なお、上記一連の処理は、垂直帰線期間内に終了するものとする。
次に、図６２のステップＳ２０３およびステップＳ２０８における処理の詳細について説明する。図６３は、図６２のステップＳ２０３およびステップＳ２０８における処理の詳細のフローを示したフローチャートである。
【０３６５】
図６３を参照して、表示制御部１１は、垂直同期信号の割り込みを待つ（Ｓ３０１）。ステップＳ３０１の後は、表示制御部１１は、基準信号用の画素ブロック（ＢＬ＿Ａ１，ＢＬ＿Ａ２）およびデータ信号用の画素ブロックＢＬ＿Ａ３を黒色で表示する（Ｓ３０２）。ステップＳ３０２の後は、表示制御部１１は、基準信号（Ｓ＿Ａ１，Ｓ＿Ａ２）がハイレベルであるか否かを判断する（Ｓ３０３）。
【０３６６】
ステップＳ３０３においてハイレベルであると判断された場合（Ｙｅｓの場合）、表示制御部１１は、基準信号（Ｓ＿Ａ１）をＶＲＡＭ１８１２に描画する（Ｓ３０４）。具体的には、表示制御部１１は、画素ブロックＢＬ＿Ａ１の内部の１５×１５ピクセルの領域に対応するＶＲＡＭ１８１２内の領域を青色に変更する。ステップＳ３０４の後は、表示制御部１１は、基準信号Ｓ＿Ａ２をＶＲＡＭ１８１２に描画する（Ｓ３０５）。具体的には、表示制御部１１は、画素ブロックＢＬ＿Ａ２の内部の１５×１５ピクセルの領域に対応するＶＲＡＭ１８１２内の領域を青色に変更する。
【０３６７】
ステップＳ３０３においてハイレベルでないと判断された場合（Ｎｏの場合）、およびステップＳ３０５の後は、表示制御部１１は、データ信号Ｄ＿Ａ１がハイレベルであるか否かを判断する（Ｓ３０６）。ステップＳ３０６においてハイレベルであると判断された場合（Ｙｅｓの場合）には、表示制御部１１は、データ信号Ｄ＿Ａ１をＶＲＡＭ１８１２に描画する（Ｓ３０７）。具体的には、表示制御部１１は、画素ブロックＢＬ＿Ａ３の内部の１５×１５ピクセルの領域に対応するＶＲＡＭ１８１２内の領域を青色に変更する。一方、ステップＳ３０６においてハイレベルでないと判断された場合（Ｎｏの場合）には、処理を終了する。
【０３６８】
次に、初期通信時における電子機器２００のデータの受信フローについて説明する。図
６４は、初期通信時における電子機器２００のデータの受信フローを示したフローチャートである。
【０３６９】
図６４を参照して、受信部５２は、データ受信の同期を試みる回数ＲＡ＿ｒの値を６０に設定する（Ｓ４０１）。ステップＳ４０１の後は、受信部５２が、受信した信号（Ｓ＿Ａ１，Ｓ＿Ａ２，Ｄ＿Ａ１）の解析を行なう（Ｓ４０２）。ステップＳ４０２の後は、受信部５２が、各基準信号（Ｓ＿Ａ１，Ｓ＿Ａ２）およびデータ信号Ｄ＿Ａ１が全てハイレベルであるか否かを判断する（Ｓ４０３）。
【０３７０】
ステップＳ４０３においてハイレベルであると判断された場合（Ｙｅｓの場合）、制御部５０は、電子機器２００の状態を時間４ｔだけ待機状態とする（Ｓ４０４）。ここで、時間ｔは、垂直同期信号の周期に対して十分に短い時間である。本実施の形態では、たとえば、時間ｔを垂直同期信号の周期の１／４に設定している。ステップＳ４０４の後は、受信部５２が、受信した信号（Ｓ＿Ａ１，Ｓ＿Ａ２，Ｄ＿Ａ１）の解析を行なう（Ｓ４０５）。ステップＳ４０５の後は、受信部５２が、各基準信号（Ｓ＿Ａ１，Ｓ＿Ａ２）およびデータ信号Ｄ＿Ａ１が全てハイレベルであるか否かを判断する（Ｓ４０６）。
【０３７１】
ステップＳ４０６においてハイレベルであると判断された場合（Ｙｅｓの場合）、受信部５２は、記憶済みビット数を表す変数ＲＡ＿ｉの値を０に設定する（Ｓ４０７）。ステップＳ４０７の後は、受信部５２は、変数ＲＡ＿Ｂの値を１に設定する（Ｓ４０８）。ステップＳ４０８の後は、制御部５０は、電子機器２００の状態を時間ｔだけ待機状態とする（Ｓ４０９）。ステップＳ４０９の後は、受信部５２が、受信した信号の解析を行なう（Ｓ４１０）。
【０３７２】
ステップＳ４１０の後は、受信部５２が、基準信号Ｓ＿Ａ１と基準信号Ｓ＿Ａ２とが同じ状態であるか否かを判断する（Ｓ４１１）。ステップＳ４１１において同じであると判断された場合（Ｙｅｓの場合）、受信部５２は、基準信号Ｓ＿Ｃ２の出力レベル（１または０）と、変数ＲＡ＿Ｂとが異なっているか否かを判断する（Ｓ４１２）。一方、ステップＳ４１１において同じでないと判断された場合（Ｎｏの場合）、ステップＳ４０９に戻る。
【０３７３】
ステップＳ４１２において異なっていると判断された場合（Ｙｅｓの場合）、受信部５２は、変数ＲＡ＿Ｂの値を、基準信号Ｓ＿Ｃ２の出力レベルに設定する（Ｓ４１３）。つまり、受信部５２は、現在の基準信号の状態を変数ＲＡ＿Ｂとして記憶装置９９に記憶する。一方、ステップＳ４１２において異なっていないと判断された場合（Ｎｏの場合）、制御部５０は、ステップＳ４０９に戻る。ステップＳ４１３の後は、受信部５２は、１ビット分のデータ信号Ｄ＿Ａ１を記憶装置９９（詳しくは、バッファメモリ）に記憶する（Ｓ４１４）。
【０３７４】
ステップＳ４１４の後は、受信部５２は、変数ＲＡ＿ｉに１を加算する（Ｓ４１５）。ステップＳ４１５の後は、受信部５２は、１２８ビット分の記憶が完了していないか否かを判断する（Ｓ４１６）。ステップＳ４１６において完了していないと判断された場合（Ｙｅｓの場合）、再度、ステップＳ４０９に戻る。一方、ステップＳ４１６において完了していると判断された場合（Ｎｏの場合）、受信部５２は、エラーなしと判断し（Ｓ４１７）、表示制御部５１がエラー表示を行なうことなく一連の処理を終了する。
【０３７５】
ところで、ステップＳ４０３においてハイレベルであると判断されなかった場合（Ｎｏの場合）、およびステップＳ４０６においてハイレベルであると判断されなかった場合（Ｎｏの場合）、受信部５２は、データ受信の同期を試みる回数ＲＡ＿ｒから１を減ずる（Ｓ４１８）。ステップＳ４１８の後は、受信部５２は、上記回数ＲＡ＿ｒが０であるか否かを判断する（Ｓ４１９）。ステップＳ４１９において０であると判断された場合（Ｙｅｓの場合）、表示制御部５１は、液晶パネル２４０にタイムアウトを示す表示を行わせる（Ｓ４２０）。一方、ステップＳ４１９において０であると判断されなかった場合（Ｎｏの場合）、制御部５０は、電子機器２００の状態を時間４ｔだけ待機状態とする（Ｓ４２１）。ステップＳ４２１の後は、再度、ステップＳ４０２に戻る。
【０３７６】
＜本通信時のフローチャート＞
次に、本通信時における電子機器１００のデータの送信フローについて説明する。図６５は、本通信時における電子機器１００のデータの送信フローを示したフローチャートである。
【０３７７】
図６５を参照して、表示制御部１１は、基準信号（Ｓ＿Ｃ１〜Ｓ＿Ｃ５）をハイレベル「１」とする（Ｓ５０１）。ステップＳ５０１の後は、表示制御部１１は、データ信号（Ｄ＿Ｃ１〜Ｄ＿Ｃ８）をハイレベル「１」とする（Ｓ５０２）。ステップＳ５０２の後は、表示制御部１１は、電子機器２００に送信する画像をＶＲＡＭ１８１２に描画する（Ｓ５０３）。ステップＳ５０３の後は、表示制御部１１は、垂直同期信号の割り込みを待つ（Ｓ５０４）。
【０３７８】
ステップＳ５０４の後は、表示制御部１１は、データ信号（Ｄ＿Ｃ１〜Ｄ＿Ｃ８）をローレベル「０」とする（Ｓ５０５）。ステップＳ５０５の後は、表示制御部１１は、送信済みのフレーム数を示す変数ＳＢ＿ｊの値を０に設定する（Ｓ５０６）。なお、ｊは１以上の自然数である。また、本実施の形態では、１フレームで８ビット分のデータを送信することができる。
【０３７９】
ステップＳ５０６の後は、表示制御部１１は、基準信号（Ｓ＿Ｃ１〜Ｓ＿Ｃ５）の出力レベルを、変数ＳＢ＿ｊを２で除した際に得られる余りに応じた値とする（Ｓ５０７）。変数ＳＢ＿ｊの値が０または偶数であれば、当該余りは０となるため、表示制御部１１は基準信号（Ｓ＿Ｃ１〜Ｓ＿Ｃ５）をローレベル「０」とする。一方、変数ＳＢ＿ｊの値が奇数であれば、当該余りは１となるため、表示制御部１１は基準信号（Ｓ＿Ｃ１〜Ｓ＿Ｃ５）をハイレベル「１」とする。
【０３８０】
ステップＳ５０７の後は、表示制御部１１は、電子機器２００に送信する画像をＶＲＡＭ１８１２に描画する（Ｓ５０８）。ステップＳ５０８の後は、表示制御部１１は、変数ＳＢ＿ｊに１を加える（Ｓ５０９）。ステップＳ５０９の後は、表示制御部１１は、１２８ビット分のデータを送信するのに必要なフレーム数分のフレームを送信していないか否かを判断する（Ｓ５１０）。たとえば、本実施の形態では、表示制御部１１が、１６（１２８ビット／８ビット）個のフレームを送信したか否かを判断する。
【０３８１】
ステップＳ５１０において送信していないと判断された場合（Ｙｅｓの場合）、再度、ステップＳ５０７に戻る。一方、ステップＳ５１０において送信していると判断された場合（Ｎｏの場合）、処理を終了する。
【０３８２】
次に、図６５のステップＳ５０３およびステップＳ５０８における処理の詳細について説明する。図６６は、図６５のステップＳ５０３およびステップＳ５０８における処理の詳細のフローを示したフローチャートである。
【０３８３】
図６６を参照して、表示制御部１１は、垂直同期信号の割り込みを検知する（Ｓ６０１）。ステップＳ６０１の後は、表示制御部１１は、基準信号用の画素ブロック（ＢＬ＿Ｃ１〜ＢＬ＿Ｃ５）およびデータ信号用の画素ブロック（ＢＬ＿Ｃ１１〜ＢＬ＿Ｃ１８）を黒色で表示する（Ｓ６０２）。ステップＳ６０２の後は、表示制御部１１は、基準信号（Ｓ＿Ｃ１〜Ｓ＿Ｃ５）がハイレベルであるか否かを判断する（Ｓ６０３）。
【０３８４】
ステップＳ６０３においてハイレベルであると判断された場合（Ｙｅｓの場合）、表示制御部１１は、基準信号（Ｓ＿Ｃ１）を液晶パネル１４０の表示面に表示する（Ｓ６０４）。具体的には、表示制御部１１は、画素ブロックＢＬ＿Ｃ１の内部の１５×１５ピクセルの領域を青色に変更する。一方、ステップＳ６０３においてハイレベルでないと判断された場合（Ｎｏの場合）、表示制御部１１は、変数ｋの値を０とする（Ｓ６０９）。
【０３８５】
ステップＳ６０４の後は、表示制御部１１は、基準信号Ｓ＿Ｃ２をＶＲＡＭ１８１２に描画する（Ｓ６０５）。具体的には、表示制御部１１は、画素ブロックＢＬ＿Ｃ２の内部の１５×１５ピクセルの領域に対応するＶＲＡＭ１８１２内の領域を青色に変更する。
【０３８６】
ステップＳ６０５の後は、表示制御部１１は、基準信号Ｓ＿Ｃ３をＶＲＡＭ１８１２に描画する（Ｓ６０６）。具体的には、表示制御部１１は、画素ブロックＢＬ＿Ｃ３の内部の１５×１５ピクセルの領域に対応するＶＲＡＭ１８１２内の領域を青色に変更する。
【０３８７】
ステップＳ６０６の後は、表示制御部１１は、基準信号Ｓ＿Ｃ４をＶＲＡＭ１８１２に描画する（Ｓ６０７）。具体的には、表示制御部１１は、画素ブロックＢＬ＿Ｃ４の内部の１５×１５ピクセルの領域に対応するＶＲＡＭ１８１２内の領域を青色に変更する。
【０３８８】
ステップＳ６０７の後は、表示制御部１１は、基準信号Ｓ＿Ｃ５をＶＲＡＭ１８１２に描画する（Ｓ６０８）。具体的には、表示制御部１１は、画素ブロックＢＬ＿Ｃ５の内部の１５×１５ピクセルの領域に対応するＶＲＡＭ１８１２内の領域を青色に変更する。
【０３８９】
ステップＳ６０８の後は、ステップＳ６０９に進む。ステップＳ６０９の後は、表示制御部１１が、送信するデータ信号が８ビットともハイレベルであるか否かを判断する（Ｓ６１０）。ステップＳ６１０でハイレベルでないと判断された場合（Ｎｏの場合）、表示制御部１１は、８ビットのデータ信号のうち１ビット分のデータを取り出す（Ｓ６１１）。一方、ステップＳ６１０でハイレベルであると判断された場合（Ｙｅｓの場合）、ステップＳ６１３に進む。ステップＳ６１１の後は、表示制御部１１は、取り出したデータ信号がハイレベル「１」であるか否かを判断する（Ｓ６１２）。
【０３９０】
ステップＳ６１０においてハイレベルであると判断された場合（Ｙｅｓの場合）、およびステップＳ６１２においてハイレベルであると判断された場合（Ｙｅｓの場合）、表示制御部１１は、当該取り出したデータをＶＲＡＭ１８１２に描画する（Ｓ６１３）。ステップＳ６１３の後は、表示制御部１１は、変数ｋの値に１を加算する（Ｓ６１４）。一方、ステップＳ６１２においてハイレベルであると判断されなかった場合（Ｎｏの場合）には、ステップＳ６１４に進む。
【０３９１】
ステップＳ６１４の後は、表示制御部１１は、１つのフレームに表示できるデータ信号の全てを、液晶パネル１４０の表示面に表示していないか否かを判断する（Ｓ６１５）。ステップＳ６１５において表示していないと判断された場合（Ｙｅｓの場合）、再度、ステップＳ６１０に戻る。一方、ステップＳ６１５において表示していると判断された場合（Ｎｏの場合）、処理を終了する。
【０３９２】
次に、本通信時における電子機器２００のデータの受信フローについて説明する。図６７は、本通信時における電子機器２００のデータの受信フローの前半を示したフローチャートである。図６８は、本通信時における電子機器２００のデータの受信フローの後半を示したフローチャートである。
【０３９３】
図６７を参照して、受信部５２は、データ受信の同期を試みる回数ＲＢ＿ｒの値を６０に設定する（Ｓ７０１）。ステップＳ７０１の後は、受信部５２が、受信した信号（Ｓ＿Ｃ１〜Ｓ＿Ｃ５，Ｄ＿Ｃ１１〜Ｄ＿Ｃ１８）の解析を行なう（Ｓ７０２）。ステップＳ７０２の後は、受信部５２が、各基準信号（Ｓ＿Ｃ１〜Ｓ＿Ｃ５）が全てハイレベルであるか否かを判断する（Ｓ７０３）。
【０３９４】
ステップＳ７０３においてハイレベルであると判断された場合（Ｙｅｓの場合）、制御部５０は、電子機器２００の状態を時間４ｔだけ待機状態とする（Ｓ７０４）。ステップＳ７０４の後は、受信部５２が、受信した信号（Ｓ＿Ｃ１〜Ｓ＿Ｃ５，Ｄ＿Ｃ１１〜Ｄ＿Ｃ１８）の解析を行なう（Ｓ７０５）。ステップＳ７０５の後は、受信部５２が、各基準信号（Ｓ＿Ｃ１〜Ｓ＿Ｃ５）が全てハイレベルであるか否かを判断する（Ｓ７０６）。
【０３９５】
ステップＳ７０６においてハイレベルであると判断された場合（Ｙｅｓの場合）、受信部５２は、記憶済みビット数を表す変数ＲＢ＿ｊの値を０に設定する（Ｓ７０７）。ステップＳ７０７の後は、受信部５２は、変数ＲＢ＿Ｂの値を基準信号Ｓ＿Ｃ３の出力レベル（１または０）に設定する（Ｓ７０８）。ステップＳ７０８の後は、図６８を参照して、制御部５０は、電子機器２００の状態を時間ｔだけ待機状態とする（Ｓ７０９）。ステップＳ７０９の後は、受信部５２が、受信した信号（Ｓ＿Ｃ１〜Ｓ＿Ｃ３，Ｄ＿Ｃ１１〜Ｄ＿Ｃ１８）の解析を行なう（Ｓ７１０）。なお、当該ステップＳ７１０では、受信部５２は、基準信号（Ｓ＿Ｃ４，Ｓ＿Ｃ５）の解析は行わない。
【０３９６】
ステップＳ７１０の後は、受信部５２は、各基準信号（Ｓ＿Ｃ１〜Ｓ＿Ｃ５）の出力レベルが同じであるか否かを判断する（Ｓ７１１）。ステップＳ７１１において同じであると判断された場合（Ｙｅｓの場合）、受信部５２は、変数ＲＢ＿Ｂの値が基準信号Ｓ＿Ｃ２の出力レベル（１または０）と同じでないか否かを判断する（Ｓ７１２）。当該ステップＳ７１２は、基準信号Ｓ＿Ｃ２が更新されているかを判断するステップである。つまり、変数ＲＢ＿Ｂの値と基準信号Ｓ＿Ｃ２の出力レベルとは同じでないと判断されれば（Ｙｅｓの場合）、基準信号Ｓ＿Ｃ２が更新されていることになる。一方、ステップＳ７１１において同じであると判断されなかった場合（Ｎｏの場合）、ステップＳ７０９に戻る。
【０３９７】
ステップＳ７１２において同じでないと判断された場合（Ｙｅｓの場合）、受信部５２は、変数ＲＢ＿Ｂの値を基準信号Ｓ＿Ｃ３の出力レベル（１または０）に設定する（Ｓ７１３）。つまり、受信部５２は、現在の基準信号Ｓ＿Ｃ３の状態を記憶する。一方、ステップＳ７１２において同じであると判断された場合（Ｎｏの場合）、ステップＳ７０９に戻る。
【０３９８】
ステップＳ７１３の後は、受信部５２は、変数ｋの値を０に設定する（Ｓ７１４）。ステップＳ７１４の後は、受信部５２は、データ信号（Ｄ＿Ｃ１１〜Ｄ＿Ｃ１８）のうち、１ビット分のデータ信号を記憶装置９９（詳しくは、バッファメモリ）に記憶する（Ｓ７１５）。なお、当該記憶する順は、データ信号Ｄ＿Ｃ１１からデータ信号Ｄ＿Ｃ１８への順とする。
【０３９９】
ステップＳ７１５の後は、受信部５２は、変数ｋの値に１を加える（Ｓ７１６）。ステップＳ７１６の後は、受信部５２は、１つのフレーム内のデータ信号（Ｄ＿Ｃ１１〜Ｄ＿Ｃ１８）が全て読み出されて、記憶装置９９に記憶されたか否かを判断する（Ｓ７１７）。ステップＳ７１７において記憶されたと判断されなかった場合（Ｙｅｓの場合）、ステップＳ７１５に戻る。一方、ステップＳ７１７においてデータ信号（Ｄ＿Ｃ１１〜Ｄ＿Ｃ１８）が記憶されたと判断された場合（Ｎｏの場合）、受信部５２は、変数ＲＢ＿ｊの値に１を加える（Ｓ７１８）。
【０４００】
ステップＳ７１８の後は、受信部５２は、１２８ビット分の記憶が完了していないか否かを判断する（Ｓ７１９）。ステップＳ７１９において完了していないと判断された場合（Ｙｅｓの場合）、ステップＳ７０９に戻る。一方、ステップＳ７１９において完了していると判断された場合（Ｎｏの場合）、受信部５２は、エラー表示を行なうことなく（Ｓ７２０）、処理を終了する。
【０４０１】
ところで、ステップＳ７０３においてハイレベルであると判断されなかった場合、およびステップＳ７０６においてハイレベルであると判断されなかった場合、図６７を参照して、データ受信の同期を試みる回数ＲＢ＿ｒから１を減ずる（Ｓ７２１）。ステップＳ７２１の後は、受信部５２は、上記回数ＲＢ＿ｒが０であるか否かを判断する（Ｓ７２２）。ステップＳ７２２において０であると判断された場合（Ｙｅｓの場合）、表示制御部５１は、液晶パネル２４０にタイムアウトを示す表示を行わせる（Ｓ７２３）。一方、ステップＳ７２２において０でないと判断された場合（Ｎｏの場合）、制御部５０は、電子機器２００の状態を時間４ｔだけ待機状態とする（Ｓ７２４）。ステップＳ７２３の後は、再度、ステップＳ７０２に戻る。
【０４０２】
＜まとめ＞
（電子機器１００および電子機器２００について）
電子機器１００，２００の各第２設定部１４，５７は、データの送受信の際に相手機器にデータを送信する表示面の送信領域と、データの送受信の際に相手機器からデータを受信する表示面の受信領域とを、同じ領域に設定する。
【０４０３】
このような構成により、送信領域（または受信領域）を或る広さに設定することが要求される場合、電子機器１００,２００では、送信領域と受信領域とを異なる領域にする場合に比べて、データの送受信に必要な領域を小さくすることができる。
【０４０４】
また、上記構成により、或る広さの領域内でデータの送受信を行なうことが要求される場合、電子機器１００,２００では、送信領域と受信領域とを異なる領域にする場合に比べて、送信領域（または受信領域）を大きくとることができる。
【０４０５】
また、第２設定部１４，５７は、データの受信位置を含む領域を受信領域として設定し、送信領域と受信領域との設定を行った後、データの受信位置の変更に伴い受信領域を再設定する場合、送信領域についても再設定する。より詳しくは、受信領域と送信領域とは同一であるため、受信領域の再設定は、同時に送信領域の再設定にもなる。電子機器１００，２００は、データ受信の際に相手機器の送信領域が判別できるため、第２設定部１４，５７は、当該相手機器の送信領域に対応する領域を自機器の送信領域に設定する。
【０４０６】
したがって、対向状態にある相手機器の位置が移動することによって互いの送受信領域の位置がずれた場合であっても、再度、送受信領域を設定しなおすことができる。それゆえ、電子機器１００と電子機器２００との間での通信エラーの発生を防ぐことができる。
【０４０７】
（据置型の電子機器２００について）
電子機器２００の第２設定部５７は、電子機器１００から受信した通信可能領域を示した情報に基づき、送信領域および受信領域を設定する。
【０４０８】
したがって、電子機器２００は、電子機器１００の通信可能領域の大きさの範囲内で送信領域と受信領域とを設定することができる。
【０４０９】
また、表示制御部５１は、初期通信において、電子機器１００との通信条件を変更するための通信パラメータであって、少なくとも通信可能領域を示した情報に基づいて生成された通信パラメータを、送信領域を用いて電子機器１００に送信する。
【０４１０】
したがって、電子機器１００が通信パラメータに基づいて自機器１００の通信領域（送信領域および受信領域）を設定することにより、電子機器１００は、自機器１００の通信領域を電子機器２００の通信領域に対応した領域に設定できる。
【０４１１】
（カード型の電子機器１００について）
電子機器１００の第２設定部１４は、通信可能領域を示した情報に基づき電子機器２００にて生成された通信パラメータに応じて、送信領域および受信領域を設定する。
【０４１２】
したがって、電子機器１００が通信パラメータに基づいて通信領域（送信領域および受信領域）を設定することにより、電子機器１００は、自機器１００の通信領域を電子機器２００の通信領域に対応した領域に設定できる。
【０４１３】
＜変形例−１＞
次に、電子機器１００および電子機器２００において、データの送信領域と、データの受信領域とを異なる領域に設定する構成について説明する。このような領域の設定は、第２設定部（１４，５７）により行なわれる。図７１は、電子機器２００において、送信領域と受信領域とが異なる領域に設定された場合を模式的に示した図である。
【０４１４】
図７１を参照して、電子機器２００においては、送信領域ＴＲ＿Ａと受信領域ＲＥ＿Ａとが縦に並んで配されている。なお、送信領域ＴＲ＿Ａと受信領域ＲＥ＿Ａとの位置関係は、電子機器１００に対して送信した通信パラメータに基づく。
【０４１５】
また、電子機器２００が、図７１に示す状態で電子機器１００とのデータの送受信を行なっている場合、電子機器１００では、表示面内の上側の領域に受信領域が設定され、当該表示面の下側に送信領域が設定される。
【０４１６】
このように送信領域と受信領域とを異なる領域に設定することにより、電子機器２００が送信したデータ信号および基準信号が、自機器２００の液晶パネル２４０の保護膜等または電子機器２００の液晶パネル１４０の保護膜等で反射することによりノイズとして電子機器１００に入力されてしまう可能性を低減できる。したがって、各電子機器（１００，２００）は、データの送信と受信とにおける全２重通信を安定的に実行することができる。
【０４１７】
また、送信領域と受信領域とは近接していることが好ましい。このような構成とすることにより、限られた通信可能領域において通信領域（送信領域および受信領域）を広く設定することができる。
【０４１８】
図７２は、電子機器２００において送信領域と受信領域とを異なる領域とした場合であって、送信領域ＴＲ＿Ａと受信領域ＲＥ＿Ａとが横に並んで配された場合を模式的に示した図である。図７３は、電子機器２００の送信領域と受信領域とが図７２に示す態様で設定された場合における、電子機器１００の送信領域と受信領域との配置を模式的に示した図である。
【０４１９】
このような構成としても、図７１を用いて説明した場合と同様の効果を得ることができる。
【０４２０】
なお、電子機器２００における送信領域ＴＲ＿Ａと受信領域ＲＥ＿Ａとの配置は、図７１や図７２に示した配置に限定されるものではない。また、電子機器１００における送信領域ＴＲ＿Ａ’と受信領域ＲＥ＿Ａ’との配置も、図７３に示した配置に限定されるものではない。
【０４２１】
＜変形例−２＞
（１）図１４においては、送信コントローラ１８１１および受信コントローラ１８３２を画像処理エンジン１８０に設けた構成を示した。しかしながら、送信コントローラ１８１１および受信コントローラ１８３２を、ドライバ１３０に備えてもよい。あるいは、送信コントローラ１８１１および受信コントローラ１８３２の機能をＣＰＵ１１０が実行する構成としてもよい。
【０４２２】
（２）上記においては、認証が成功した後、認証側の電子機器２００がゲートを開く制御を行う構成について説明した。しかしながら、電子機器２００が行なう制御は、ゲートを開く制御に限定されるものではない。たとえば、電子機器１００（たとえば携帯型電話機）の表示面を電子機器２００（たとえばレジスタ）の表示面に対向させると、電子機器２００が課金処理を行なう構成としてもよい。
【０４２３】
図６９は、課金処理を行なう前の、電子機器１００の表示面に表示される内容と電子機器２００の表示面に表示される内容を示した図である。図７０は、課金処理を行なった後の、電子機器１００の表示面に表示される内容と電子機器２００の表示面に表示される内容を示した図である。
【０４２４】
図６９を参照して、課金処理を行なう前は、電子機器１００の表示制御部１１は、自機器の表示面に認証開始する旨の表示をさせる。一方、電子機器２００の表示制御部５１は、自機器の表示面に、電子機器１００のユーザに当該電子機器１００の表示面を電子機器２００の表示面に対向させることを案内する旨の表示をさせる。
【０４２５】
図７０を参照して、認証が終了し、かつ課金処理が終了した後は、電子機器１００の表示制御部１１は、課金の詳細（たとえば、レシートとして表示される内容）を電子機器１００の表示面に表示させる。一方、電子機器２００の表示制御部５１は、課金終了に伴い表示すべき内容を電子機器２００の表示面に表示させる。
【０４２６】
このような構成とすることにより、電子機器１００では課金の詳細をユーザが確認できるため、電子機器１００は、課金の詳細を電子機器１００で表示できない構成の電子機器に比べて、利便性に優れる。
【０４２７】
また、電子機器２００の通信可能領域内のいずれの位置に電子機器１００の表示面を対向させても、認証および課金の処理を行なうことができる。ＬＥＤなどの通信を用いる場合は認証側の機器の配置が限定されるが、本発明では電子機器１００の配置が、ＬＥＤを用いた通信ほどは限定されない。
【０４２８】
また、通信システム１では、盗聴が防止できるといった効果もある。さらに、通信システム１では、対向状態で通信を行なうため通信障害の発生が少ない。
【０４２９】
（３）また、電子機器１００と電子機器２００との間で、アドレス帳などのデータ交換を行う構成としてもよい。さらに、電子機器２００をテレビ放送の表示が可能な機器とした場合、電子機器２００の表示面の一部の領域に電子機器１００の表示面を対向させることにより、電子機器２００が当該一部の領域から出力しているデータを電子機器１００で読み取る構成としてもよい。当該データとしては、たとえば、番組関連情報、プレミアムコンテンツ課金情報が挙げられる。
【０４３０】
（４）電子機器１００の液晶パネル１４０と電子機器２００の液晶パネル２４０とのドットピッチが異なる場合には、データの送受信の際、当該ドットピッチの違いを考慮して、データの送受信の領域を決定すればよい。
【０４３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０４３２】
１  通信システム、１０  制御部、１１  表示制御部、１２  受信部、１３  第１設定部、１４  第２設定部、４９  記憶装置、５０  制御部、５１  表示制御部、５２  受信部、５３  判断部、５３Ａ  検知部、５３Ｂ  更新部、５４  第１設定部、５５  認証部、５６  パラメータ決定部、５７  第２設定部、９９  記憶装置、１００  電子機器、１４０  光センサ内蔵液晶パネル、１４０Ａ  光センサ内蔵液晶パネル、１４４  光センサ回路、１４５  フォトダイオード、１７７  操作キー、１７９  バックライト、１８０  画像処理エンジン、１８１  ドライバ制御部、１８３  信号処理部、２００  電子機器、２０１  本体装置、２０２  表示装置、２３０  ドライバ、２４０  光センサ内蔵液晶パネル、２７７  操作キー、２７９  バックライト、２８０  画像処理エンジン、２８１  ドライバ制御部、２８３  信号処理部、１８１１  送信コントローラ、１８１２  ＶＲＡＭ、１８３１  Ａ／Ｄ変換器、１８３２  受信コントローラ、１８３３  ＶＲＡＭ。
【図１】
2010187325.tif 000003
【図２】
2010187325.tif 000004
【図３】
2010187325.tif 000005
【図４】
2010187325.tif 000006
【図５】
2010187325.tif 000007
【図６】
2010187325.tif 000008
【図７】
2010187325.tif 000009
【図８】
2010187325.tif 000010
【図９】
2010187325.tif 000011
【図１０】
2010187325.tif 000012
【図１１】
2010187325.tif 000013
【図１２】
2010187325.tif 000014
【図１３】
2010187325.tif 000015
【図１４】
2010187325.tif 000016
【図１５】
2010187325.tif 000017
【図１６】
2010187325.tif 000018
【図１７】
2010187325.tif 000019
【図１８】
2010187325.tif 000020
【図１９】
2010187325.tif 000021
【図２０】
2010187325.tif 000022
【図２１】
2010187325.tif 000023
【図２２】
2010187325.tif 000024
【図２３】
2010187325.tif 000025
【図２４】
2010187325.tif 000026
【図２５】
2010187325.tif 000027
【図２６】
2010187325.tif 000028
【図２７】
2010187325.tif 000029
【図２８】
2010187325.tif 000030
【図２９】
2010187325.tif 000031
【図３０】
2010187325.tif 000032
【図３１】
2010187325.tif 000033
【図３２】
2010187325.tif 000034
【図３３】
2010187325.tif 000035
【図３４】
2010187325.tif 000036
【図３５】
2010187325.tif 000037
【図３６】
2010187325.tif 000038
【図３７】
2010187325.tif 000039
【図３８】
2010187325.tif 000040
【図３９】
2010187325.tif 000041
【図４０】
2010187325.tif 000042
【図４１】
2010187325.tif 000043
【図４２】
2010187325.tif 000044
【図４３】
2010187325.tif 000045
【図４４】
2010187325.tif 000046
【図４５】
2010187325.tif 000047
【図４６】
2010187325.tif 000048
【図４７】
2010187325.tif 000049
【図４８】
2010187325.tif 000050
【図４９】
2010187325.tif 000051
【図５０】
2010187325.tif 000052
【図５１】
2010187325.tif 000053
【図５２】
2010187325.tif 000054
【図５３】
2010187325.tif 000055
【図５４】
2010187325.tif 000056
【図５５】
2010187325.tif 000057
【図５６】
2010187325.tif 000058
【図５７】
2010187325.tif 000059
【図５８】
2010187325.tif 000060
【図５９】
2010187325.tif 000061
【図６０】
2010187325.tif 000062
【図６１】
2010187325.tif 000063
【図６２】
2010187325.tif 000064
【図６３】
2010187325.tif 000065
【図６４】
2010187325.tif 000066
【図６５】
2010187325.tif 000067
【図６６】
2010187325.tif 000068
【図６７】
2010187325.tif 000069
【図６８】
2010187325.tif 000070
【図６９】
2010187325.tif 000071
【図７０】
2010187325.tif 000072
【図７１】
2010187325.tif 000073
【図７２】
2010187325.tif 000074
【図７３】
2010187325.tif 000075